(57)【要約】【課題】ファイバースコープ等で投入口から中の郵便物は見れず、針金等の先端に接着剤を塗っての郵便物窃盗は不可能で郵便物等の集積状況は関係者のみ外から分る郵便受け。【解決手段】郵便受け本体前面上部から前へ出た部分からぶら下がる略板状の物体２を下げると、その物体の窓と本体前面４の窓が前後に並び投入口となる空道が生じ、そこからの投函物は前から見ると内壁と隙間の無い天井から伸びる物体１０に密着している内壁と隙間の無いシーソー板９の上に落ち、略板状の物体を下げていた手を離すとその物体は上がって投入口は無くなり、下がり続けるシーソー板と下がれない天井から伸びる物体に出来た隙間から投函物は後部が空中に浮く板５の上に落ち、その時、その後部が下がると、その最後部上面から斜め後ろの台上に伸びている糸状の物質２１は下へ引かれ、もう片方の糸状の物質の先端の物体２２が上がっている状況を透明体２６を通して外から確認出来る。【選択図】図５
2010131352.tif 000002
【特許請求の範囲】
【請求項１】
普段は投入口は存在せず、郵便物等投入時のみ投入口を存在させ、普段は投入口がつくられる位置と郵便受け底との間には隙間は存在するが、投入口が存在する時にのみ、郵便受け本体の左右の内壁と全く隙間の無い下となる板状の物体と、前から見た場合、前記の左右の内壁と全く隙間の無い状態に見える上となる板状の物体を、下上に全く隙間の無い状態で郵便受け内のほぼ中央上部の空中で投入口と平行に密着している状態をつくることで、投入口存在時は、投入口と郵便受け底との間に殆ど隙間が無い状態をつくり出していることを特微とする郵便受け箱。
【請求項２】
略箱状の郵便受け本体上部前側先端は、前へせり出しており、そのせり出した部分からぶら下がる形で郵便受け本体前面と薄紙一枚の隙間を空けて存在する略板状の郵便受け本体前側に位置する物体を押し下げると、前記の郵便受け本体前面の有する窓と、上から下りてくる前記の郵便受け本体前側に位置する物体の有する窓が前後に並んだ時にその二つの窓によって内外が通じる投入口の役割を果たす空道が生じ、また、郵便受け内には、前先端が、前記の郵便受け本体前側に位置する物体の有する窓の下側の、前側が奥となる凹部の中、そして前部の下面の何処かが常に前記の郵便受け本体前面の有するシーソー運動の支点の役割をする窓の下辺の上に載っている郵便受け本体の左右の内壁とは全く隙間が無い状態のシーソー運動を行う板が在り、そのシーソー運動を行う板の後部は郵便受け本体前側に位置する物体を下げるまえの普段の状態の時は下がっているが、郵便受け本体前側に位置する物体を押し下げると、そのシーソー運動を行う板の後部は段々と上がり、前記の二つの窓が前後に並んで空道が出来はじめると同時に、そのシーソー運動を行う板の後部上面が、前から見た場合左右の壁とは全く隙間が無いように見える天井から伸びる板状の物体の下先端と隙間無く密着し、その二つの物体は投入口が在る間は必ず密着しており、投入口が無くなってから離れる状態をつくり出していることを特微とする請求項１記載の郵便受け箱。
【請求項３】
前先端部が前記の郵便受け本体前側に位置する物体の有する窓の上下を挟む形で取り付けられている、その取り付けられた状態を前記の窓の前後から見ると、上辺の無い三辺の厚さがハガキ程のコ字に見える略コ字状の物体であり、その郵便受け本体前側に位置する物体に取り付けられた、前記の同じ横幅の長さを持つ二つの窓の内側に薄紙一枚の隙間を空けて入り込むことが出来る横の辺の長さを持つ硬質素材でつくられた略コ字状の物体の下の面は、郵便受け本体前側に位置する物体の後ろ奥側に出ると同時に下に下がった勾配の状態になっており、その略コ字状の物体の奥行き先端は、郵便受け本体前面の前に、その前面と薄紙一枚の隙間を空けて存在する郵便受け本体前側に位置する物体に、前記の略コ字状の物体が取り付けられ、その略コ字状の物体の三面が、前記の郵便受け本体前面の有する窓の中に入っている状態でその前面の奥側に必ず少しでも出ていることが必要であり、その奥行き先端のま下の位置に在る前記の下に下がった勾配の面を持つ下辺の奥先端の高さは、前記の投入口の縦幅の長さが最も長くなる時にくる前記のシーソー運動を行う板の後部の上面が最も高くなる位置に来た時に、その上面に当たらない高さになっており、そして、前記の郵便受け本体前面の有する窓の左右の縦の辺の最上部からは、その前面と直角に即ち郵便受け本体の左右の壁と平行に内外に貫通する上下に長く前後に短い細長い空道がま上に伸び、その空道の中に前記の略コ字状の物体の左右の辺の何処かが自らが行う上下運動が出来る必要最少限のスペースを設けて常に入っており、前記の投入口が無い普段の状態即ち前記の略コ字状の物体が最も高い位置に在る状態の時でも、前記の略コ字状の物体の左右の縦の二辺の上先端と、前記の細長い空間の上先端との間には必ず隙間が存在することで、郵便受け本体前側に位置する物体が行う上下運動をスムースに行うことを可能にし、前記の略コ字状の物体の左右の二つの面と下面の合計三面で、郵便受け本体前側に位置する物体と郵便受け本体前面との間に空く上側以外の隙間を塞ぐことで投入された郵便物等が隙間から落ちることを防ぐ役目も持つ略コ字状の物体を有することを特微とする請求項２記載の郵便受け箱。
【請求項４】
前記の郵便受け本体前面の有する窓の左右の縦の辺の最上部からま上に伸びた細長い空道は、前記の郵便受け本体前側に位置する物体を下げると、それを下げた者には必ずその空道がま正面から見える状態になるので、その状態になることを防ぐために、前記の郵便受け本体前側に位置する物体上面の奥からは、前後の幅が１．５ｃｍ以内の板状の物体がま上に伸びており、その板状の物体が常に前記の空道を前から見えないように隠していることを特微とする請求項３記載の郵便受け箱。
【請求項５】
前記の郵便受け本体前側に位置する物体が、前記の郵便受け本体前面の前に、薄紙一枚の隙間を空けて位置している普段の状態の時に、前記の郵便受け本体前側に位置する物体を下げると、その物体の下先端は必ず、投入口の縦幅が最長の長さになった時に郵便受け本体前面から前へせり出した板状の物体に当たって止められ、その物体はそれ以上は下がることが出来ない状態になるが、その郵便受け本体前面から前へせり出した板状の物体の上面の高さを替えることで、投入口の縦幅の最長時の長さを、初めの状態の時よりも短くなるように調整できることを可能にしていることを特微とする請求項４記載の郵便受け箱。
【請求項６】
前記のシーソー運動を行う板の前先端部付近と最後部以外の左右の外を向いた面の全ての両面は、１つの前後に細長く左右の郵便受け本体内壁と対面し、その内壁と平行になっている奥の面を持つ凹部になっており、その凹部の奥の面には隙間無く磁石が取り付けられており、その凹部の中には、前記の凹部に取り付けられた磁石と反発する磁石を周囲に取り付けられた円筒が在り、その円筒の前後は前記のシーソー運動を行う板の凹部の無い最前部付近と最後部の左右の部分と殆ど隙間の無い状態になっており、その凹部の左右の内壁側の部分は、上下の角が最も厚くなる状態のカーブをつくり、左右両端の上面角と下面角を最短距離でつないだ縦の直線の中央を横につないだ線を中心にして、上下同じ長さで存在する隙間の上下幅の長さは、前記の円筒の外径よりも短くしていることで、前記の凹部の奥の面の磁石と前記の円筒の周囲の磁石によって生み出される反発力により、前記の円筒が外へ押し出されシーソー運動を行う板と内壁とに空く薄紙一枚ほどの隙間を無くすことが出来、そして決して円筒は、シーソー運動を行う板の外へ出ることは出来ないシステムを持つことを特微とする請求項６記載の郵便受け箱。
【請求項７】
前記の郵便受け本体の前に薄紙一枚の隙間を保って郵便受け本体前側に位置する物体が存在している状態の郵便受け本体内部を横から見た場合、中央上部のやや前側の位置に郵便受け本体に固定された状態の主に前後の二つのぶ厚い板がつくり出す下の部分が本体前面の近くとなる斜めの角度で上に大きな四角い空間、下に縦に細長い空間と二つの空間が続いて存在しており、その二つの空間の境目は、前記の斜め縦の角度で存在する上の大きな空間の左右の辺の下先端はそれぞれ内側に９０度に折れ、そして、その９０度に内側に折れた左右の辺は、中央に隙間を設けてそれらの辺と９０度の角度に下に折れ、細長い空間をつくることになり、その細長い空間の下先端、即ち、ぶ厚い物体の下先端は、前記のシーソー運動を行う板の後部が上がり、その後部が最も高い位置となる水平の状態になった時には、シーソー運動を行う板の上面がもう少しで前記のぶ厚い板の下先端に当たると云う位置に在る。そして、その空間の左右の互いに対面する面の中央には、横から見た場合、Ｔの字に見える郵便受け本体とは独立して存在する下の縦の一文字の部分の下先端は、前記の細長い空間の下先端からはみ出している状態のＴ字状の物体が在り、その上の横一文字の部分は斜め上下運動が出来るスペースを保って大きな空間の中に存在し、下の縦一文字の部分もやはり自身が斜め上下運動が出来るスペースを保って下の細長い空間の中に何処かが入っており、互いに対面するＴ字状の物体の面とぶ厚い物体の面は普段は平行に位置している位置関係を保っている。Ｔ字状の物体の下先端は投入口存在時は、前記のシーソー運動を行う板の上面に載っているが、投入口が無くなり、シーソー運動を行う板の後部が下がるとＴ字状の物体の上の一文字の下の面が、前記の大きな空間と細長い空間の境目の平面に密着し、Ｔ字状の物体はその状態から下へ行くことが出来なくなり、そのシーソー運動を行う板の後部がその状態からさらに下がるとＴ字状の物体はぶら下がりの状態となり、それ以上下へ行くことが出来ないＴ字状の物体とシーソー運動を行う板との間に隙間が出来はじめ、シーソー運動を行う板の後部がさらに下がるとその隙間は大きくなり、シーソー運動を行う板の上面に郵便物等が載っている場合は、その郵便物はシーソー運動を行う板から下へ落ちるシステムを持つことを特微とする請求項６記載の郵便受け箱
【請求項８】
前記の郵便受け本体を横から見た場合、Ｔの字に見えるＴ字状の物体の上の横一文字の左右、即ち前後の面には隙間無く磁石が取り付けられており、そして、そのＴ字状の物体の下の縦の部分の後ろ斜め下を向いた面にも隙間無く磁石が取り付けられており、それらの三面と対面する二つのぶ厚い物体の面には、それらの磁石と反発する磁石が取り付けられており、そして、Ｔ字状の物体の下の縦の部分の斜め上を向いた面と対面するぶ厚い物体の面には十数固の同じ頂上の高さの回転可能なローラ状の物体が取り付けられていることで、Ｔ字状の物体が斜め上下運動を行っても、対面する面どうしに取り付けられた磁石どうしの反発力を利用して普段の状態のように出来るだけＴ字状の物体と２つの物体の対面する面どうしを平行の状態にして互いの面が密着する状態になることを防ぐとともに、また、Ｔ字状の物体の下の縦の前の部分が対面するぶ厚い物体の面に当たりそうになっても、そのぶ厚い物体の面から出ているローラ状の物体に当たるため、斜め上下運動を行っているＴ字状の物体がそのローラ状の物体に接触した場合、そのローラ状の物体は自身に当たっているＴ字状の物体の斜め上下運動とともに回転する仕組みになっていることで、磁石の反発力とローラ状の物体の回転を活用して、Ｔ字状の物体が行う斜め上下運動をスムースに行うことが出来るシステムを内部に持つことを特微とする郵便受け箱。
【請求項９】
郵便受け本体を横から見た場合、前記のＴの字の形をしているＴ字状の物体を前後に挟む二つのぶ厚い物体でつくられた空間のま横の左右の内壁には、その空間の下先端付近を除けば、その空間と全く同じ形の凹部が在り、その内壁に存在する凹部の下には、その凹部を前後に均等に同じ形に分けることが出来る凹部の中心線、即ちＴ字状の物体が斜め上下運動を行う中心線を中心にして、その凹部と続く別の凹部が内壁に存在し、その下になる凹部は、表面に近い凹部の奥の面を最短距離、または上の凹部の奥の面と表面の距離を同じ計り方で計った場合は全く同じ距離であり、そして、その下の凹部の上先端は、前記のぶ厚い物体の面に取り付けられたローラ状の物体群の下先端のローラの下先端の部分と前記のぶ厚い物体の下先端の間に在り、その前後の幅は、Ｔ字状の物体の下の縦の部分が斜め上下運動を行う必要最少限のスペースを保っており、上の凹部の前後の幅よりも狭くなっている。そして、その下の凹部の１つ目の役割は、前記のぶ厚い二つの物体から下へはみ出した前記のＴ字状の物体の下の縦一文字の部分の左右の端を自身の中に入れて、投入口から入れられたファイバースコープ等で中を見られた場合、Ｔ字状の物体と郵便受け本体の内壁との隙間が全く無いように見せることであり、二つ目の役割は、Ｔ字状の物体の頂上の部分が、上へ上がり過ぎ、二つのぶ厚い物体挟を挟んでいる上部に位置する物体の下面に当たったとしても、Ｔ字状の物体の後に説明するローラ状の部分よりも上の本体下先端を含んだＴ字状の物体の縦一文字の部分をその凹部の中に入れておくことで、その縦一文字の本体をその凹部からはみ出さないようにしてＴ字状の物体が行う斜め上下運動をスムースにする役割の一つを担うことであり、そして、もう一つは、その凹部の下先端の斜め上を向いた面は、投入口が無くなった時にＴ字状の物体のローラの部分を上に載せる高さにつくられていることで、前記の二つのぶ厚い物体でつくられた大きな空間と小さな空間の境目の平面と同じく投入口が無くなった時点からそれ以上Ｔ字状の物体を下へ下げないようにすることであり、それら三つの役目を持つ内壁に存在する凹部を持っていることを特微とする請求項８記載の郵便受け箱。
【請求項１０】
前記のＴ字状の物体の下先端は回転が可能なローラ状の物体であることを特微とする請求項９記載の郵便受け箱。
【請求項１１】
郵便受け本体内側の前部下の位置の左右の内壁に、その内壁の内側表面と直角に表面側に入り込む表面側奥先端が詰まった状態の円筒状の空間の中に、前記のシーソー運動を行う板が行うシーソー運動に支障をきたさない位置に存在する板状の物体の前先端部の中央を横断貫通する両面の詰まった円筒状の物体の左右の両面の中心から、その表面の何処から測っても直角になって出ている硬い素材でつくられた棒状の物体が入り、その棒状の物体が入り込んでいる位置の高さは、郵便受け底よりもやや上の高さに在り、その棒状の物体も含む円筒状の物体が自身の前先端中央を横断貫通している板状の物体は、その板状の物体に細工を行なわなければ、水平の状態ではなく最後部下角が、郵便受け底に着く状態である。その後部が上下運動が出来る板状の物体の下面全体に取り付けられた磁石と、その下面と対面する郵便受け底に取り付けられた磁石が互いに反発しあい、その反発力で前記の板状の物体は後部が浮く状態となり、その後部が空中に浮く板状の物体全体は水平か水平に近い状態を保っており、その後部が空中に浮く板状の物体の上から落ちてきて、その後部が空中に浮く板状の物体の上に貯まった郵便物等の合計の重量が、前記の反発力で前記の後部が空中に浮く板状の物体を水平に保つことができる限界を越え、その後部が空中に浮く板状の物体の後部が下がって、その後部が空中に浮く板状の物体の最後部下面の後ろ角が下の床に着く状態になると、その後部が空中に浮く板状の物体の最後部付近上面に取り付けられているヨートに先端の輪が取り付けられているその後部が空中に浮く板状の物体後ろに位置する  横から見るときのこ状の物体の頂上の台の上から斜め前下の前記のヨートに向って伸びている糸状の物質も当然下へ引っ張られることになり、その糸状の物質のもう一方の先端の前記のきのこ状の物体の台の上から外側へぶら下がる形で取り付けられている物体は、それ以上上がることは出来ない状態まで上がることとなり、その物体の上がっている状態をその物体の後ろに位置する透明の板状の物体を通して外から見ることが出来るシステムを持つことを特微とする請求項１０記載の郵便受け箱。
【請求項１２】
前記の後部が空中に浮く板状の物体の最後部上面に取り付けられているヨートは、一つではなく数個横一列に規則正しく等間隔で並べられて取り付けられており、前記の糸状の物質は取り付けるヨートを自由に替えることが出来、また、糸状の物質には、前記の糸状の物質とは別に二種類のダミーの糸状の物質が有り、その内の一つは、前記の後部が空中に浮く板状の物体の最後部上面のヨートに取り付けられるダミーでない本来の糸状の物質よりも糸状の部分が短いと云うことを除けば全く同じ形状であり、そのダミーの糸状の物質を前記の後部が空中に浮く板状の物体の最後部上面に横一列に並んでいるそれぞれのヨートもま後ろの線のきのこ状の物体の頂上の台の前部下面に取り付けられている硬い素材でつくられた下を向いた輪の内の一つに先端の輪の部分をきのこ状の物体の頂上の台の上からまわして取り付けるとその糸状の物質のもう一方の先端の物体は、前記の後部が空中に浮く板状の物体の最後部下面が下がって床に着き、その後部が空中に浮く板状の物体のヨートに取り付けられている糸状の物質の外側先端の物体が来る高さと同じ高さに来るように長さが調整されており、そして、もう一つのダミーの糸状の物質は、前記のダミーの物質よりも全体は長く、他の糸状の物質と同じように外側先端には物体が取り付けられており、その物体の下先端はきのこ状の物体外側の下の床にもう少しで着くと云う位置に在り、前記の後部が空中に浮く板状の物体の後部下が下がったために床に着いたとしても、常にその物体の高さは変わらず外から見る者には透明体を通してそのダミーの糸状の物質の糸状の部分だけが見えるようになっている。そして、本来の糸状の物質を前記の後部が空中に浮く物体のヨートに取り付ける場合は、ダミーの糸状の物質は、そのま後のきのこ状の物体の頂上の台の下面の輪に取り付けてはならず、一つの例として本来の糸状の物質一つを前記の後部が空中に浮く体の一つのヨートに取り付け、他のヨートのま後ろの位置にある前記のきのこ状の物体の頂上の台の前下面の全ての輪に一つづつ前記の二種類のダミーの糸状の物質のいづれかを種類が片寄らない様に取り付けた場合等は、本来の糸状の物質を取り付けている前記の後部が空中に浮く板状の物体のヨートの位置を知る者だけが、大まかではあるが郵便受け内の前記の後部が空中に浮く板状の物体の上に載る郵便物等の合計の重量を知ることが出来るシステムを持つことを特微とする請求項１１記載の郵便受け箱。
【請求項１３】
前記の後部が空中に浮く板状の物体の最後部上面の横一列に並んだヨートの投入口側には、その後部が空中に浮く板状の物体の上面と垂直に、その後部が空中に浮く板状の物体の左右の端とわずかの隙間を空けて厚さ２ミリ程の横長長方形の板状の物体が直立する形で取り付けられており、その厚さ２ミリ程の板状の物体に、均一または数段階の重量に分れた長い辺の長さが前記の後部が空中に浮く板状の物体の横の長さよりも短く前記の厚さ２ミリほどの板状の物体の長い方の辺よりも長い中央に長方形の細長い空間を有する板状の物体を一枚以上自身の持つ空間の中に前記の後部が空中に浮く板状の物体の上面から垂直に建つ板状の物体に入り込ませる形で前記の後部が空中に浮く板状の物体の上面に載せることにより、その後部が空中に浮く板状の物体の後部の重量を増やし、その後部が空中に浮く板状の物体の後部が下がりはじめるその後部が空中に浮く板状の物体の上に載る郵便物等の重量を、その後部が空中に浮く板状の物体の後部上面に何も載せていない状態よりも軽めに調整出来るシステムを持つことを特微とする請求項１２記載の郵便受け箱。
【請求項１４】
前記の縦幅の長さの調整が簡単にできる投入口からファイバースコープ等を進入させて中の郵便物を見ようとしても見ることは出来ず、投入口から、先端に接着剤等を塗り付けた曲がった針金等を進入させて郵便物等の窃盗を試みても不可能であるが、投函物を下に落とす郵便受けとしての機能を持ち、そして郵便物等の集積状況を大まかではあるが扉を開けることなく、また覗き窓を設けなくても関係者だけが外から見て分る方法を用いている郵便受けを素人でも組み立てや解体が簡単に出来る構造になっていることを特微とする請求項１３記載の郵便受け箱。
【発明の詳細な説明】
【技術分野】
【０００１】本発明は全体の殆どの部分が軽量素材、及び軽量硬質素材で造られ、そして、いくつかの部分に取り付けられた磁石以外の殆どの部分は磁石に反応しない素材を用いている郵便物盗難防止に重点を置く郵便受け箱に関する。
【背景技術】
【０００２】従来、一般的な郵便受け箱は、個人情報保護や郵便物の盗難予防に重点は置かれておらず、例えば、板状の投入口の蓋の中心から前に向って出ている取っ手を手前に引けば投入口が空き、その中の郵便物等は丸見えとなり、手を差し入れるには充分なスペースを有しているので、手を差し入れて郵便物窃盗等は容易に行うことができたり、また、前面に投入口があったとしても、その投入口は横長長方形でその前面をくり抜いた様なものであったり、またそのくり抜いたものの投入口の前には、下を持って上へ上げる簡単な蓋状のものを有してあるだけのものが多く、その構造では郵便受け内の郵便物が容易に見えることになる。
また、中の郵便物を見えないように、手の進入を防ぐために工夫されているものは、前面を横長長方形にくり抜かれた状態の投入口の前に固定された前記の横長長方形の投入口の上の辺のすぐ上から斜め前下へ下りる角度で左右を隠して陽差し状のものが出ており、その陽差し状のものの下先端は、前記の投入口の下の辺よりやや下に在り、やっと手が入るスペースを前後に有しており、新聞等は曲がる状態にならなくては中に入ることは出来ず、手等の進入は角度的には不可能である。
【発明の開示】
【発明が解決しようとする課題】
【０００３】上述の如く、従来技術の郵便受けの中には、盗難予防に重点を置かれて製作されているものもあるが未だ完全に郵便物窃盗防止や個人情報の保護に関しては１００％安心と言えないのが現状である。郵便受けに関する事件で、インターネットで検索すると、郵便受けから請求書を抜きとり、請求書に書いてある振込み先を改ざんし、再びその請求書を郵便受けに戻して現金を騙し盗る事件や郵便受けから郵便物を抜き取り、その郵便物に書かれている住所を写してダイレクトメールで送付する犯罪があるが、前記の種の犯罪から郵便受け内の郵便物を守る方法は投入口から曲げることが出来るファイバースコープ等で中の郵便物を見ようとしても見ることは出来ず、曲がった針金等
2010131352.tif 000003
入させて郵便物窃盗を行おうとしても不可能な構造を持つ郵便受けを作ることである。【０００４】本発明はこのような点に鑑みて成されたものであり、その目的は投入口からの手の進入を防ぐのは勿論のこと、投入口からファイバースコープ等を進入させて郵便受け底の郵便物を見ようとしても不可能であり、投入口から先端に接着剤等を塗り付けた曲がった針金等を差し入れて郵便物窃盗を行おうとしても不可能にする郵便受けである。
【課題を解決するための手段】
【０００５】  上述の目的を達成する本発明の郵便受け箱は、投入口と郵便物等が貯まる郵便受け箱との間の隙間を無くし、投入された郵便物等を郵便受け底まで運ぶ郵便受けとしての機能を持つ郵便受け箱である。【０００６】（０００５）の機能を果たすためには、従来の常に投入口が存在している郵便受けでは不可能であり、郵便物投入時のみ投入口を存在させ、その投入口存在時のみ投入口と郵便受け底との隙間を無くし、投入口が無くなってから投入口と郵便受け底との間に隙間を発生させ、その隙間から郵便物を郵便受け底に落とす方法を用いるものである。
【発明の効果】
【０００７】  以上説明したように本発明によれば、常時投入口を存在させないことにより、郵便受け内を覗くと云う出来心を起こさせる可能性を極めて少なくし、そして、ファイバースコープ等を投入口から進入させて中の郵便物を見ることや投入口から曲がった針金等の先端に接着剤を塗りつけてそれを投入口から進入させて郵便物窃盗を成功さすことは不可能であり、郵便受け箱を破壊、または、郵便受け箱を開けるための鍵を持たない限り、前記の郵便受け箱の中の郵便物等を盗ることは不可能である。
【発明を実施するための最良の形態】
【０００８】以下、本発明の実施の形態を図面に基づき詳細に説明する。【０００９】  その方法としてまず第一に郵便物が投入されてから、その郵便物が郵便受け下部に到達するまでの流れと、その郵便物を郵便受けから取り出す方法。後、その郵便受け箱の組み立ての説明をしながら、その組み立てる部分の構造や役割、その部分の仕組み等について説明することにする。【００１０】  図１は普段の状態の郵便受け箱を斜め前から見た図である。郵便受け本体前面上部から前へ突き出たへ先１の下に表面板２は存在しているが、前記のへ先１と表面板２を上下に密着させると、その表面板２の上部の左右の外を向いた面の一部と前記のへ先１の下部の左右の外を向いた面の一部が内側の奥の面が一つの奥の面となる凹部を形成し、その左右の凹部の上面と下面に取り付けられたヨートどうしをスプリングでつないでいるが、普段はそれらのスプリングと凹部は左右のレール板３に隠される形であり、表面板２は、前記のへ先１の下部と密着してそのへ先とつながるスプリングによってぶら下がる形で郵便受け本体前面４の前に薄紙一枚の隙間を郵便受け本体前面４との間に保って存在している。【００１１】  図５は、郵便受け箱全体の普段の状態、即ち底板５の上に郵便物等が在るが、押板６を押し下げている者が在ない状態の横中央の縦断面図である。表面板２の窓７の下の凹部８の中にその先端が取り付けられたシーソー板９の奥の部分は下がっており、Ｔの字の形をした天井から伸びる物体１０とシーソー板９の間はかなりの隙間が存在している。【００１２】  図  は郵便物を投入する瞬間の図である。表面板２の最上部の押板６を手で押し下げることにより、表面板下先端が郵便受け本体前面４から前へせり出した表面板受け止め板１１に当たり表面板２はそれ以上下へは行くことが出来ない状態となり、以後板状の部分に有る四角い空道を窓と呼ぶが、その表面板２の窓７と郵便受け本体４の窓１２が前後に並んで出来た投入口となった空道から押板６を押し下げていないもう片方の手を使って郵便物を入れている。
その時のシーソー板９の状態は、シーソー運動の支点となる郵便受け本体前面の窓１２の下枠と表面板の窓の下の凹部８の中のシーソー板９の前先端の部分はほぼ水平の状態になるので従ってシーソー板９もほぼ水平になっており、そして天井から伸びる物体１０の下先端の部分はシーソー板９の上に密着している。【００１３】  図８は投入口が出来た直後と同じ状態の投入口が無くなる直前の郵便受け箱横中央縦断面図である。押板６を押し下げていた手を離すと表面板が上がると供にシーソー板９の奥の部分は下がり、天井から伸びる物体１０も下がるがシーソー板９が投入口が無くなる時、即ち表面板２のＡの部分と郵便受け本体前面４のＢの部分が水平に並ぶ状態になると天井から伸びる物体１０はそれ以上下へ行くことは出来ない状態になる寸前の図である。【００１４】  図１１０は投函された郵便物が底板５の上に落ち、郵便受け箱が普段の状態に戻った時の郵便受け箱の横中央縦断面図である。【００１５】  前先端部が床１３より上で前記のシーソー板９のシーソー運動の妨げにならないシーソー板の前部の下に位置する底板は、その両端の棒状の部分が内壁１４の中に入っている底板先端部を横断貫通する筒状の物体１５の周囲とその周囲の周りの底板先端部の中心を横断する円い空道との間には、底板５の後部が上下運動ができる隙間を有しているので、その底板５の下面とその下面と対面する床１３には互いに反発する磁石が隙間無く取り付けられているが、その反発力により底板５の上に郵便物が無い場合等は底板５が水平か水平に近い状態になるように底板後部を空中に浮かせている。【００１６】図１１０では郵便物二枚が底板の上に載っただけで底板後部は床１３に着いているが、図は、底板の最後部付近の底板中央縦断面図である。底板の最後部上面に取り付けられたヨート１６の前の郵便物脱落防止板１７は、底板前の郵便物脱落防止板と同じように、底板上面に空く細長い孔１１０の中にサイズの合う板状の物体をはめ込んだ簡単な造りである。後部郵便物脱落防止板１７にはめ込まれている中央に後部郵便物脱落防止板を中に入れる空間を有する重量調整板１８は、均一または数段階の重量に分かれており、底板を浮かす反発力が強い時に用いられ、一枚、または数枚、底板の上に載せることにより、底板５の後部が下がりはじめる郵便物の重量を調接することが出来る。ヨートから斜め後ろ上のきのこ状の物体１９の頂上の台２０の上に載る糸状の物質２１のもう片方の先端に取り付けられているローソク板２２は、底板が水平か水平に近い状態の時は図の如く、谷の底に着くか着かないかの位置にその下先端が在る。【００１７】  そして、きのこ状の物体１９の頂上の台２０の前部下の面に取り付けられている硬い素材でできた輪２４は、後に説明するダミーの糸状の物質の先端の輪をはめ込むためのものである。【００１８】図１０９は、最後部が下がり最後部の下面角が床に着いた状態の底板横中央縦断面図の底板最後部付近のものである。【００１９】  その図１８では、底板が水平か水平に近い状態の時に谷２３の下部に在ったローソク板２２は、扉板２５のつらら板１１３下先端と郵便受け本体の後ろ下面のテラス１２１の間まで上がり、ま後ろの透明体２６を通して外か��見える状態になっている。【００２０】透明体２６は、郵便受け本体下面に空く自身がスッポリと入るサイズの孔に自身を入れて建っているだけだが、きのこ状の物体１９の、底板５に取り付けられたそれぞれのヨートのま後ろとなるポイントと同種のポイントの中間点に郵便受け本体前面と直角で存在する空間にピタッとはめ込まれた仕切り板２７によって前へ倒れることなく双方ともに上に扉板が下りてきた時にショックを和らげるためと扉板との隙間を無くす役割を持つゴム状の物質を自身の上面に有している。【００２１】図７０は、（００１９）の状態の時のきのこ状の物体１９及び糸状の物質の様子を、それらのま後ろの透明体２６を通して外から見た図である。透明体は郵便受け本体下面から上に伸びる郵便受け本体の一部ではあるが、透明体は、外から見れば、下を郵便受け本体下面、その下面以外の左右と上を扉板２５に囲まれて存在しており、外から見える糸状の物質六体の内左から三番目が唯一中の底板に取り付けられたヨートとつながるもので、他は全てダミーの糸状の物質とするならば、そのことを知るものだけが郵便受け箱内の空中に浮かぶ底板５の後部を下げる重量以上の郵便物等がその郵便受け内に入っていることを知ることができる。【００２２】郵便受け内の郵便物を取り出すためには、郵便受け箱後面上部に取り付けられている錠前を取り外さなくてはならないが図１１１は、その錠前を取り外した直後の図である。【００２３】  そして、その錠前を取り外すと錠前のつるが中の穴状の部分を通っていた前の先端部が郵便受け本体の中、中央部が扉板の空道の中、そして後部が郵便受け本体の最後部上面の空道の中に入っている鍵板２８を取り出しているのが図１１１である。【００２４】鍵板を外すと、扉板２５の最上部の取っ手に手を入れ図の如く持ち上げる。（図１１２参照）【００２５】  そして、そのまま取り出してもいいが、扉板２５を途中で止め、郵便受け本体から上へ出た部分に、扉板の左右の面を貫通するトンネル状の部分に長い棒状の物体を挿入し、図９の状態にして中の郵便物を取ることが出来る。【００２６】  次は郵便受け箱を組み立てる作業に従って、それぞれの部分の組み立て方と、その時に組み立てる部分、部品の構造や役割について説明したいと思う。【００２７】  糸状の物質には前記の本来の糸状の物質とは別に二種類のダミーの糸状の物質が有り、二種とも本来の糸状の物質と構造は全く同じであり、ただ糸状の部分が本来の糸状の物質と比べて短いだけである。そして、そのダミーの糸状の物質は二段階の長さで種類が分けられ、その内の一つは、前記のきのこ状の物体１９の頂上の台の前部の下を向いた面に取り付けられた輪２４に先端の輪の部分を取り付けると、もう一方の先端のローソク板２２の部分は、ある程度の郵便物が入っていることを示す外から透明体２６を通して見える高さに位置することとなり、そしてもう一つのダミーの糸状の物質は、そのダミーの糸状の物質と同じようにきのこ状の物体１９の頂上の台前部の下を向いた面に取り付けられている輪に先端の輪の部分を取り付けると、もう片方の先端のローソク板の下先端はきのこ状の物体１９の外側の下の谷２３の底に当たるか当たらないと云う位置にあり、上につながる糸状の部分に張りを持たせている。（図１８参照）【００２８】そして、ダミーの糸状の物質は、本来の糸状の物質２１を取り付ける、または取り付ける予定のヨート１６のま後ろの線上の輪２４には取り付けず、それ以外の輪に取り付け、その方法はダミーの糸状の物質の輪の部分とその付近は硬くつくられているので後ろから手を入れ、曲がったラジオペンチ等で簡単に取り付けることが出来る。（図１１参照）【００２９】郵便受け箱を組み立てるには、まず第一に底板を郵便受け本体主体部に取り付ける訳であるが、底板５に糸状の物質２１を取り付けるのは、底板を、郵便受け本体主体部に取り付けてからでもよいが、ここでは底板５を郵便受け本体主体部に取り付けるまえに、糸状の物質を底板に取り付けておく。【００３０】底板先端部の中心を左右に横断貫通するトンネル状の部分に入る円筒状の物体１５には、左右の両端から同じ距離を中に入ったその左右の両端付近の周囲に数個〜十数個の穴３０が空けられている。（図３１参照）【００３１】  その円筒状の物体１５は、二つの円筒状の物体で構成されており、その構造は、中心から外側に向って郵便受け本体の内壁の孔３１に挿入する棒状の物体３２が出ている片方の面だけを持つ円筒状の物体３３のその面の内側中心から中に向って伸びるスプリングに覆われた長い棒状の物体は、常に片面だけを持つ円筒状の物体自身の中に何処かが入っている両面を持つ円筒状の物体３４の前記のスプリングの先端が常に当たっている内側の面３５の中心に空いた前記のスプリングの直径よりも短い直径の穴３６からその両面を持つ円筒状の物体３４の中に入り、そして、その長い棒状の物体３７の先端は、常に、その両面を持つ円筒状の物体の外側中心から外に向って郵便受け本体の内壁の孔３１に入る棒状の物体３２が出ている外側表面３８の内側中心から中へ向って伸びるパイプ状の管３９の中に入っている構造になっている。（図３１、図３２参照）【００３２】  底板５を郵便受け本体主体部４０の内壁１４に取り付ける方法は、郵便受け本体主体部４０には、手全体が入ることが困難と思われるので、硬い素材でできた先端付近にノコギリの刃状の凹凸を持つ細長い棒状の物体４１を二本用意する。（図１２参照）【００３３】  底板先端部の上面の盛り上がった頂上の後部には、底板上面を左右にはしる溝が有り、その溝からは中の円筒状の物体１５の左右の端付近の周囲に空く穴３０が一つ〜二つ見ることが出来、前記の二本の棒状の物体をその左右の穴に一本ずつ挿入し、前記のノコギリの刃状の部分をその穴に当て、その二本の棒状の物体により内側に圧力を加え、底板全体を持ち上げる。（図１３参照）【００３４】  その時に、底板先端部左右の端から外に出ていた棒状の物体３２全体が、全て底板の中に隠れていることが確認できると、後、その底板を持ち上げたまま、底板最後部をきのこ状の物体の頂上の台２０の前部下の位置に持ってゆき、ゆっくりと前へ倒しながら内壁に空く左右の孔３１との間に底板先端部の中心を持って行き、そのままの状態で除々に内側にかけている圧力をゆるめて底板先端部の中に在る円筒状の物体１５の左右の両面から出ている棒状の物体３２を内壁の左右の孔３１の中へ挿入する。（図１４参照）【０���３５】  底板５を郵便受け本体主体部４０に取り付ける作業では、普段は底板表面に在る前部郵便物脱落防止板１７後部郵便物脱落防止板１７を底板に取り付けたままでは、その作業の如げとなるので二つの郵便物脱落防止板は底板５から外していた方が良い。（図１３、図１４参照）【００３６】その二つの郵便物脱落防止板を底板表面に取り付ける方法は極めて簡単であり、底板の上面の前部と後部のそれぞれ横にはしる細長い左右の端をつなぐ辺の方が長い、長方形の孔１１０の中にそれらの孔にすっぽりと入る大きさと形状の板状の郵便物脱落防止板を挿入するだけである。（図１６参照）【００３７】  そして、底板の後部が下がりはじめる底板の上に載る郵便物の重量を調整する方法は、例えば、ハガキ三枚で底板後部を下げようと思えば、まずハガキ三枚を底板後部の上面に載せ、そのままの状態で重量調整板１８を一枚づつ後部郵便物脱落防止板１７にはめ込んでゆき、そして、その底板の後部が下がりはじめた時に、底板の上に在る三枚のハガキを取る方法を用いてもよい。【００３８】  コレナニ板４２の主な役割は、表面板２の窓７の下のシーソー板９の先端部が入る凹部８の薄くなった前側の奥の面の板状の部分を補強することであり、コレナニ板４２の表面板２の表面に取り付けられる裏面４３には、数個のネジの溝の入った孔４４が有り、コレナニ板の裏面と、前記の表面板の凹部８の奥の面の表側を密着させることにより、前記のコレナニ板の裏面４３に空くネジの溝の入った孔と、表面板の凹部の内側と、その左右の板状の部分に空くネジの溝の入った穴状の部分を前後に重ねて一つの穴状の部分になったところに表面板裏側からネジ釘等を挿入してドライバー等で取り付ける。（図１９、図２０、図２２図２３参照）【００３９】  コレナニ板４２が表面板前面に取り付けられた状態は、下面は水平で、上の面は表面板とのつけ根からなだらかな勾配をつくって下へ下がっており、その面には、郵便物を投入されるまえには指定された４ケタの暗証番号を押して下さい。誤って押されますとブザーが鳴りますのでご注意下さい。等と書かれたプレートが張り付けられており、その面は、その上の押板６の先端のま下付近から垂直に近い勾配になり、その急勾配の面にはアラビア数字等が書かれた押しボタンが横一列に並び、それらのボタンは全て電子計算機のボタンのように押すと戻る状態になっている。（図２３参照）【００４０】  先端部の中心部を横断貫通するトンネル状の空道の中に、前記の底板先端部の中に入る円筒状の物体１５と全く同じ構造の円筒状の物体１５が入っており、先端部の上面にも前記の底板先端部上面と全く同じ位置に横長の長方形の溝が存在する先端部とその付近は底板５と全く同じ構造のシーソー板９を表面板に取り付ける方法は、【００４１】  まず、表面板２をこちら側が表面板の裏面を向くように壁等にもたせかける。（図１１６参照）【００４２】  そして、表面板の窓の下の凹部８の左右の辺の上部から、その左右の辺と直角に両横外側に向って伸びる隙間４８は前記のシーソー板の先端４５の左右の端から外へ向って伸びる棒状の物体よりもひとまわり大きく、シーソー板９の横幅もその凹部に中に薄紙二枚の厚さほどの隙間を空けて入ることができ��長さなので、シーソー板９の先端の両側から外へ向って伸びる棒状の物体は、その凹部の左右の辺の上部から外へ向って伸びる隙間の中に入ることが出来従ってシーソー板本体前部はその表面板の窓７の下の凹部の中に入ることが出来る。（図４４、図４５、図４６、図４７、図４９参照）【００４３】  表面板の前後の幅の中央を縦に切断した場合、前記の凹部の左右の辺の上部から外側へ伸びる隙間の、表面板の表側に近い部分が奥となる凹部と、その凹部付近の空間の様子は、その凹部の左右の辺の間の中心部を中心に左右対称となっており、前記のシーソー板の先端部の中の円筒状の物体の左右の面から外に向って伸びる棒状の物体よりも長さのある部分は、前記の表面板の凹部の左右の辺の上部から両横に出ている隙間の奥の部分となるその空間の上部２９と最終的にシーソー板の先端部の左右の端から出ている棒状の物体３２が留まるその空間の下部１０７だけであり、そして、その表面板の前後の幅の中央の縦の線を前後の幅の中心としてその凹部の左右の面から外側に向ってくり抜かれた状態の空間の最上部のくの字の部分を除く空間の全ての部分の前後の幅の長さは均一であり、その長さは前記の棒状の物体３２の直径の長さよりも長くなっている。そして、その空間の中央の挟くなった部分は、表面板裏面の前記の凹部の左右の辺の上部から外へ伸びる隙間４８に、その中央の凹部に入るシーソー板の本体と供に、シーソー板の先端の左右の端から外へ伸びる棒状の物体３２を挿入し、そして、シーソー板本体と供にその棒状の物体を前へ押して前記の空間の上部２９にその棒状の物体を到達させ、そのまま、棒状の物体をま下に下ろそうとしても、必ずその棒状の物体の左右の端の部分に当たる構造になっている。（図４４、図４５、図４７参照）【００４４】  従ってシーソー板を表面板に取り付ける方法は、壁等にもたせかけてある裏面がこちらを向いている表面板裏面の窓の下にある凹部の左右の辺の上部から外側に出ている隙間に、凹部の中に入るシーソー板本体と供に、シーソー板の先端の左右の端から外側へ向って伸びる棒状の物体を挿入しそのままシーソー板本体と供に前へ押し出し、止まったところでシーソー板の後部を持ち上げて、その下へ前へ移動しないようにして球状の物体を置き、その上にシーソー板の後部を載せる。（図４６、図１１６参照）【００４５】  その状態のまま、前記の先端付近がノコギリ刃状の凹凸になっている細長い棒状の物体４１を二本用意し、それらの先端をシーソー板先端部上面を左右にはしる溝の中に見える円筒状の物体１５の左右の穴３０に一本づつ計二本入れ、そして、その細長い二本の棒状の物体に内側に圧力を加えて、シーソー板先端部の両端から出ている棒状の物体を内側へへこませ、そのままの状態で二本の細長い棒状の物体を下に下ろすとシーソー板の後部は、その下の球状の物体が回転すると供に手前に移動し、シーソー板の先端部も前記の空間の広くなった下先端の部分の前記の凹部の中央の高さまで移動し、その時に、内側に圧力をかけている二本の細長い棒状の物体をゆっくりと今迄入っていた穴から抜くと、シーソー板先端の左右の端の棒状の物体は、その外側の孔に入ってゆく。一人でこの作業を行うことが困難な場合は二人��行うと簡単である。（図１１６、図４７参照）【００４６】  また、シーソー板９を表面板２に取り付ける別の方法として二つのＳ字型金具を輪ゴム等でつないだ器具４６を用いる方法もある。この方法も一人でも行うことが出来、まず、前記と同じように、シーソー板先端部の端から外側に出ている棒状の物体３２を凹部８の中に入れるシーソー板本体と供に、凹部の左右の辺から外側へ伸びる隙間の中に挿入し、その棒状の物体３２をシーソー板本体９と供に当たるところまで前へ押す。そして、二つのＳ字の金具を輪ゴム等でつないだ器具の片方のＳ字の部分をシーソー板の先端部上面を左右にはしる溝の中に見える円筒状の物体に空く左右どちらかの穴に引っかけ、もう一つのＳ字金具も同じように未だＳ字型金具が引っかかっていない別の端の穴に引っかける。その時に、二つのＳ字金具をつなぐ輪ゴム等の引き寄せる力が弱い場合は輪ゴム等を結んで調整できるが、まずＳ字型金具を左右の穴に引っかけ、後輪ゴム等でこれら二つをつなぐと云う方法もある。
後、シーソー板の先端の両端から外側へ向かって出ている棒状の物体の外側先端が、シーソー板の本体の左右の端付近まで縮まっていることを確認し、片手で表面板を動かないように固定し、もう片方の手でシーソー板の後部を持ち、少し上げてシーソー板の先端をま下に下ろすようにすれば、シーソー板の先端は、前記の凹部を挟んだ空間の幅の広い下の部分の下先端の高さまで下がり、その位置で二つのＳ字状の金具を取り外せば、シーソー板先端の両端から外へ向かって伸びる棒状の物体３２は、その左右の孔に溜まり、下へ移動することは出来ず、上へ移動するためには、シーソー板から外へ出た棒状の部分をシーソー板本体内に入れなければならない状態となる。（図４８、図４９参照）。【００４７】  表面板にシーソー板を取り付ける作業が終わると、それまで外していた郵便物はみ出し防止板４９をシーソー板の前部上面に取り付ける訳ではあるが、その作業は極めて簡単で、シーソー板上面に空く横に長い長方形の孔５０の中に板状の郵便物はみ出し防止板４９を挿入するだけである。（図４３参照）。【００４８】  そして、またシーソー板に取り付けられていない円筒磁石棒５１は、後ほど取り付けることにする。【００４９】表面板の前面から前へはみ出さないように取り付けられる表面板の裏側からその取り付けられた状態を見ると、上の辺の無いコ字の形に似た略コ字状の硬質素材でつくられた投入口体５２は、郵便物等を投入するためには無くてはないものである。（図３４、図３５、図３９参照）。【００５０】表面板が有する窓の上下の部分は、表面板の他の部分と比べて前後の幅の厚さが１／２ほどで、前の部分のみ板状となって存在しており、その窓の上下の板状の部分には、供に複数のネジの溝の入った孔が内側に穴状の部分を有する形で存在している。（図３８参照）【００５１】前記の投入口体５２を表面板に取り付ける方法は、前記の〔００４１〕の場合と同じく、壁等に表面板を壁側に表、こちら側に裏が向くようにもたせかけて、表面板の裏側から投入口体５２の窓状になった部分を表面板の窓の中に入れて少し押すと、投入口体５２の窓状の部分の下の縦面５３と前記の表面板の窓の下の縦面５４とが前後に密着すると供に、表面板の窓の上の縦面５５と投入口体の窓状の上の縦面５８が前後に密着する。そうなった状態から投入口体をま上へ動かそうとすると、投入口体の窓状の部分の上の枠から水平に前へ出ている薄い板状の物体の上面と、表面板の窓の上枠の下を向いた水平の面が下上に密着する状態となる。（図５０参照）【００５２】  その状態となると、表面板の窓の下の縦面５４のネジの溝の入った孔５７と、投入口体の窓状の部の下の縦面５３の丸く切り取られた部分、そして、表面板の窓の上の縦面５５のネジの溝の入った孔５７と投入口体の窓状の部分の上の縦面５８の丸く切り取られた部分５９が前後に重なってそれぞれ一つの穴状の孔となっている。（図５０参照）【００５３】  そして、その状態を保つためにどちらか片方の手で表面板の裏側と密着する投入口体５２を押え、投入口体が表面板を軽く押さえている状態をつくることにより、投入口体が表面板２からずり落ちないようにし、その状態を保ったままもう片方の手で前に位置する板状の物���が有する孔、そして、投入口体の窓状の下の部分の丸く切り取られた部分、それら二つの板状の部分に存在する穴状の部分と同じ数で、前記の二つの前後に並んだ板状の部分の後ろに並べると、それぞれの穴状の部分全てが一つの孔となる位置関係の奥側の表面にネジの頭が入る構造の空道を持つ下押え板５６を、表面板の窓の下の縦面と投入口体の窓状の部分の下の面が前後に重なった部分の後ろの側に当て、前の板状の部分のネジの溝を持つ孔、中央の板状の部分の丸く切り取られた部分、そして、後ろの板状の物体の空道を前後に並べて一つの孔をつくり、そして、投入口体を押えている手は下押え板を押えている手だけとし、もう一方の出来れば利き手で、ネジ釘等を持って前記の下押え板に空く孔に入れて、ドライバー等を利用して、それらネジ釘等で二つの板状の部分と一つの板状の物体を接続する。（図３５、図３６、図３７、図３８、図４０、図４１、図４２、図５０、図５１参照）。【００５４】  そして、次は表面板の窓の上の縦面５５も同じように、上押え板６０を投入口体５２の窓状の上の縦面５８に当てドライバー等で取り付ける。（図５１参照）【００５５】  また、前記の〔００５３〕では、表面板の窓の下の部分から投入口体を取り付けたが、表面板の窓の上の部分から投入口体を取り付けても問題はない。【００５６】  郵便受け本体前面４を前から見た場合、その郵便受け本体前面の中央やや上部に表面板の窓と同じ左右の内幅を持つ郵便受け本体前面が有する窓１２が有り、その窓の左右の辺の上部からま上に伸びる郵便受け本体前面表面と直角に上下に長く、左右が短いその前面を貫通している空道６１が有る。（図５３参照）【００５７】  コレナニ板４２とシーソー板９と投入口体５２が取り付けられた表面板２を郵便受け本体主体部４０に取り付ける方法は、まず、郵便受け本体前面の前から、前記の三つの物体が取り付けられた表面板２のシーソー板９と投入口体５２の殆どの部分を郵便受け本体前面の後ろ側の郵便受け本体主体部の中に進入させ、表面板の裏面と郵便受け本体前面の前側をほぼ密着する状態にすることである。【００５８】  その方法は表面板を持ち上げ、郵便受け本体前面の前から、まずシーソー板の郵便受け本体内部に入れば最後部となる部分の下面を、郵便受け本体前面の有する窓１２の下枠の上面に載せる。そして、その時にシーソー板の前記の最後部となる部分が、表面板内に在るシーソー板の先端部から下へ下がっている状態ならば、表面板全体を、垂直の状態を保ったまま、表面板の下先端が郵便受け本体前面から前へせり出している表面板受け止め板１１の上面と同じ高さになるまで下げる。（図５４参照）【００５９】  そうするとシーソー板は水平か水平に近い状態となり、そして、そのまま水平の状態を保ったまま表面板を、その下先端が前記の表面板受け止め１１に当たらないように、そして、その表面板の上面後部からま上に伸びる角板６２が、郵便受け本体前面上部から前へせり出したへ先１に当たらないように気を配りながら前へ押し出す。（図５２、図５３図５４参照）【００６０】  そうすると、表面板の窓の裏側から後ろ側に向って出ている投入口体の下の面が郵便受け本体の前面が有する窓の中に入ると同時に、投入口体��左右の縦の面も当然その窓の中に入る訳だが、その投入口体の左右の縦の面がその郵便受け本体前面が有する窓の中に入っている部分は、その左右の縦の面の殆であり全体では無く、あとの投入口体の左右の縦の面の上部の面は、前記の郵便受け本体前面の有する窓の左右の縦の枠の上先端からま上に伸びる空道６１の中に入っており、表面板を、そのままシーソー板が水平か水平に近い状態を保ったまま表面板を水平に前へ押し出すと表面板の裏側と郵便受け本体前面の表側は密着する状態となる。【００６１】  そして、その密着した状態を保ちつつ表面板をま上に上げると、表面板上面の奥からま上に伸びる前記の角板６２が前記のへ先１の根元付近から上へその角板が入る空間を持つ角隠し６３の中に入り込み、そして、全ての角板６２の部分が前記の角隠し６３に入ると、表面板の上面とへ先の下面が密着している状態となっており、そして、郵便受け本体前面の有する窓の上枠と投入口体の下の面の上面とも密着している状態となっている。その時に、前記の郵便受け本体前面の有する窓の左右の枠の上先端からま上に伸びる細長い空道の中に入っている投入口体の左右の面の上先端とその細長い空道６１の上先端との間の距離は、ごくわずかではあるが存在している。【００６２】  そして、次は、前記のへ先の左右の凹部１５８の下を向いた面に取り付けられているヨートと、前記の表面板上面の左右の面の凹部６４の上を向いた面に取り付けられているヨートを、ペンチ等を利用して上下のヨートをつなぐわけであるが、その方法は、それを作業する者が、その作業をやり易いようにへ先と表面板の間隔を空けてやればよい。（図５５参照）。【００６３】  その作業が終わると郵便受け本体前面の前に表面板がほぼ、取り付けられている状態となるが、投入口体は、投入口から投函された郵便物等を自身が持つ下面の奥に向って下がっている勾配を活用して、その下のシーソー板の上へ落としたり、また、表面板と郵便受け本体前面に空く上方向以外の左右と下の隙間を無くして、郵便物等が前記の隙間から落ちることを防ぎ、そして投入口体自身が持つ左右の薄い板状の面の何処かの部分、を常に前記の郵便受け本体前面が有する窓の左右の枠の上先端からま上に伸びる空道６１に入れることにより、表面板がスムースに上下運動ができるようにと手救けをしている。【００６４】  表面板受け止め板１１は、郵便受け本体前面から前へ出ている郵便受け本体主体部４０の一部であり、投入口の縦幅の最大時の長さを、始めの段階から短くすることに限られるが、調整することが出来る。その方法は極めて簡単で、表面板受け止め板１１の上面に厚さが数段階に分かれている投入口縦幅調整板を一枚載せ、表面板受け止め板１１の上面に空くネジの溝を持つ孔と投入口縦幅調整板６５の上面近くがネジの頭が入る構造になっている空道を下上に重ねて一つの孔とし、その上からドライバー等でネジ釘等を用いて取り付けると云うものである。（図１、図６１、図６２、図６３、図６４、図６５参照）。【００６５】  本体と本体の溝の中にはめ込まれる形で強力接着剤によって取り付けられた硬質素材でできた薄い板状のスプリング隠し板１５６によってへ先１と表面板２の上面をつなぐスプリング１４４の左右���前方を隠す役目を果しているレール板３の他の役目は表面板が上下運動を行う時に多少ブレを起こすが、そのブレを少くする役目と、そして何者かに表面板が郵便受け本体から取り外されることを防ぐ役目を持っている。図１、図２５、図５７参照）。【００６６】  そのレール板３を立てて上から見た場合、その時に、凹部が見えていない部分が上面となっていればその部分が上、そして、現在下になっている部分を上になる状態にして立て、上から見ると必ず凹部が見えるその部分が下となる状態にレール板は、郵便受け本体前面の後ろの部分に取り付けられる。【００６７】  レール板を郵便受け本体前面の後ろの部分に取り付ける方法は、まず、郵便受け本体前面の前側に取り付けられた表面板から伸びるシーソー板の後部が、郵便受けが普段の状態となる時の最も低くなる位置にきていることを確認し、そして、レール板の凹部を表面板の左右いづれかの面から外に出ている凸部にはめ込み、そして、前記のレール板の上となる部分の上先端の高さは、郵便受け本体主体部の角板を除くカバー６６が上部に取り付けられていない状態の郵便受け本体の屋根６７の上先端の高さと同じ高さとし、そして、レール板の前先端は、表面板本体の前先端部のま横にくるようにする。【００６８】  その状態にすると、レール板の内側に在る部分が穴の状態になるネジの溝の在る複数の孔と、郵便受け本体前面の後ろの壁の内側にネジの頭が入る形状の複数の略円筒状の空道の全てが、前記のレール板の孔と重なり、それぞれ一つ一つが長い孔となる。（図２、図２４、図５６参照）【００６９】  そして、その一つの孔と略円筒状の空道が重なってできた長い孔の状態を保持して、外側からレール板を片方の手で郵便受け本体に押し当て、そして、もう片方の手で郵便受け本体主体部内部から、まず、前記の長くなった孔の一つにネジを挿入し、そして、そのネジを手でまわすことが可能ならば、そのネジを手でまわしてそのネジの先端部をレール板内に進入させて軽く郵便受け本体とレール板が接続している状態をつくり、その後、そのネジから手を離し、そして、ネジの頭と接する先端部が、前記のネジの頭の上表面に在る溝にぴったりとはまる凸部となっているＬ字型工具の先端を前記のネジの頭に押し当て、前記のＬ字型工具の先端部の凸部をそのネジの頭の上面の溝に入り込ませ、その状態を保持したまま、そのＬ字型工具を手でまわして、前記のネジをより深く進入させてレール板と郵便受け本体をつなぎ、この方法を用いて、後の孔全てにネジを進入させてレール板と郵便受け本体を完全に接続する。（図５６参照）【００７０】そして、反対側の郵便受けの側面も、同じ方法を用いてレール板と郵便受け本体を接続する。
なを、レール板を郵便受け本体に取り付ける作業に於て、郵便受け本体主体部に手を進入させることが困難な場合は、先端が前記のＬ字型工具と同じ状態の凸部を持つ持つ部分が長めのＬ字型工具を用いてそれらのネジをまわしてもよい。【００７１】後、郵便受け本体主体部４０の中に在るシーソー板の左右の端の郵便受け本体内壁１４と対面する面に在る、その内壁に近い部分が空間となっており、シーソー板の中心に近い部分が奥となり、その奥となる前記の内壁と平行となる奥の面に磁石が取り付けられている凹部の中に入る円筒磁石棒５１の周囲は、前記の凹部の奥の面に取り付けられている磁石と反発する磁石で覆われており、その円筒磁石棒の長さは前記の凹部の前後の長さよりも薄紙一枚ほど短く、そしてその外径の長さは、前記の凹部の前記の内壁に面した部分に在る空いている部分の上下の幅の長さよりも長い。（図４３参照）。【００７２】  レール板３が郵便受け本体主体部の前部の左右の壁に取り付けられた後の、郵便受け本体前面４の前に存在する、そのレール板３の持つ凹部の中に自身の左右の面から外側に出ている凸部を入れると供に自身の持つ凹部にレール板本体から出たスプリング隠し板１５６を入れることにより、取り外される危険性が極めて少くなった表面板２の窓の下の凹部８から奥へ向って伸びているシーソー板は、その後部先端が郵便受け本体主体部の内部で下に下がっている状態である。【００７３】  そのままの状態では、前記の円筒磁石棒５１をシーソー板に取り付ける作業を行うことは困難なので、表面板の押板６に手を当て、そして押し下げ、表面板全体を下げ、郵便受け本体主体部内のシーソー板を水平か水平に近い状態にし、今、押板を押えている手をそのままにして、そのシーソー板の水平か水平に近い状態を保つ。【００７４】  そうすることにより、シーソー板の後ろの面の左右の端付近に在る円筒磁石棒の外径よりも長い直径を持つ円筒磁石棒を挿入するための穴状の部分６８が、郵便受け本体主体部の後ろの空いた部分を通して外から見える状態となる。【００７５】  そのシーソー板の水平か水平に近い状態を保ったまま、前記の郵便受け本体主体部の後ろの空いた部分から、手に持った円筒磁石棒を入れ、そして、その円筒磁石棒の前先端を前記のシーソー板後面の左右どちらかの穴状の部分６８に入れて少し押し、その円筒磁石棒から手を離してもシーソー板から円筒磁石棒が外れない状態になった時に、その円筒磁石棒から手を離し、その手の指を円筒磁石棒の後ろ先端部に当て、前記の穴状の部分にその指が当たるところまで前に押し円筒磁石棒をシーソー板の中に入れる。（図２６、図２８参照）。【００７６】  その作業が終わった段階では、円筒磁石棒の後ろ先端は、その周囲のシーソー板の最後尾の後ろを向いた面と同じ平面状の位置になっている。（図２８参照）。【００７７】  その状況は、円筒磁石棒は未だ完全にシーソー板の左右の凹部の中に入っている状況ではないので、その円筒磁石棒の外径よりも短く、周囲の磁石の無い部分の内側の直径、即ち内径よりも長い直径を持つ前先端が平面の円柱状の物体６９の前先端部で、前記のシーソー板の後ろの面の左右の穴状の部分６８の中に見える円筒磁石棒５１の最後尾の部分をシーソー板の中へより深く押し、シーソー板の中央を内側と表現すると、以前より深くシーソー板の中に入った円筒磁石棒５１の最後部の円状になった部分の内側の約半分だけが、前記のシーソー板の最後尾の面の左右の穴状の部分を通して見える状況になれば、その前記の円筒状の物体は、完全にシーソー板の左右の面のどちらかの凹部に入っている状態であり、その作業をもう一つの片方のシーソー板の面の凹部に行って完了すれば、円筒磁石棒は完全にシーソー板に取り付けられていることとなる。〔００７５〕〔００７７〕の作業は二人で行うと良い。（図４参照）【００７８】  シーソー板の凹部の中に入った円筒磁石棒は、自身が周囲に持つ磁石が、その凹部の奥の内壁と平行に存在する面に取り付けられた磁石と反発するので、その反発力で円筒磁石棒は外へ強く押される形となり、自身の外側の部分がシーソー板の左右の面と対面する内壁に当たる形となり、その結果、シーソー板の左右の面と内壁とに空いていたそれぞれの薄紙一枚ほどの隙間を埋めることとなり、そして、その内壁と対面するシーソー板の左右の面の凹部の外側先端の部分は、上下の部分が前記の円筒磁石棒の外周のカーブとほぼ同じカーブになっており、その中央には隙間が在るが、その隙間の上下の幅の長さは、その円筒磁石棒の外径よりも短くなっていることで、円筒磁石棒はシーソー板が上下運動を行っても殆ど上下に揺れることはなく、決してシーソー板の外へははみ出すことが出来ないようになっている。（図２９、図３０、図３３参照）【００７９】  次は、前のぶ厚い物体７０を、郵便受け本体主体部の中央前の部分に上からはめ込む作業を行う。その方法は、郵便受け本体主体部前部の屋根７１と郵便受け本体主体部の壁の上面７２の境目の部分には、その境目を前先端とする内側に伸びる前後の面と平行となる辺の方が長い細長い空間があるが、その空間の中にまず、前のぶ厚い物体７０の前先端に有る前外側はみ出し板を上から挿入し、ゆっくりとま下に下ろして行く。すると、その前外側はみ出し板７３の後ろの前のぶ厚い物体の中央体７４は、左右の内壁１４と薄紙一枚の隙間を保ちながら、ま上からその左右の内壁の間に進入し、そして、その前のぶ厚い物体の中央体７４の後ろ側につながって存在する後ろ外側はみ出し板７５も当然下へ下がり、そのまま前のぶ厚い物体７０がま下に下がると前と後ろの二つの外側はみ出し板が、その二つの外側はみ出し板の間に在る平面状の壁の上面をまたぐ形で中に入り、そして、前のぶ厚い物体７０の二つの外側はみ出し板の間の下を向いた平面の部分と、その下の壁の上面の部分とが密着し、その状態になると、前記の郵便受け本体主体部前部の屋根７１の上面と前のぶ厚い物体の屋根７６の上面が水平の状態で一面になっており、その二つの屋根は前後に密着している状態になっている。（図５８、図７２、図７３、図７４、図８６参照）【００８０】  そして、その状態になると、前のぶ厚い物体７０の前記の前外側はみ出し板７３の下先端は、自身が現在入っている前記の細長い空間７７の下先端の上を向いた平面と密着しており、また前記の後ろ外側はみ出し板の下先端は、内壁の中央に入った凹部の投入口側上先端を自身の後ろ端とする同じ面積と形状を持つ上を向いた平面と密着しており、その上を向いた面の最後部の線の中央から外側、即ち、郵便受け本体側面表面側の線は、後ろ側に向って勾配を持つ面８３の先端の線でもあり境目でもある。そして、あとの内側の線は、後に投入される天井から伸びる物体１０の左右の面の前部の面の端の部分と対面する凹部の上部前先端となる。（図７５、図８７参照）【００８１】  また、前のぶ厚い物体の中央体７４と内壁には薄紙一枚の隙間は存在するが、前外側はみ出し板７３が投入口の縦幅が最大の長さになった時のシーソー板が来る位置のすぐ上の前のぶ厚い物体の下先端７８までの、その前のぶ厚い物体の中央体７４と内壁の隙間を、前から見た場合自身の後ろに隠す形で塞いでいる。【００８２】  前のぶ厚い物体７０の後ろ上面の斜め下を向いた面、そして、後ろ下面の斜め下を向いた面は、後に郵便受け本体主体部４０に入る天井から伸びる物体の斜め上下運動を線と平行に位置しており、この後投入される後ろぶ厚い物体７９にも同じことが言える。（図８７参照）【００８３】  前のぶ厚い物体７０の後ろ上面の斜め下を向いた面には隙間無く磁石が取り付けられており、そして、後ろ下の斜め下を向いた面には、四角い板の中央にローラ状の物体が取り付けられたもの７９が、十数個〜二十数個その斜め下を向いた面に規則正しく取り付けられており、それらは全て同じ形状で同じ大きさであり、それらのローラ状の物体４７の前記の下を向いた面に取り付けられた状態での上先端部の高さは、その下面と直角に測れば全て同じ距離になるようにつくられている。（図５８、図６６、図６７、図６８、図６９参照）【００８４】  次は、後ろぶ厚い物体７９を郵便受け本体主体部に挿入する訳であるが、その作業は前記の前のぶ厚い物体を郵便受け本体主体部にはめ込む作業と同じで、郵便受け本体主体部の後ろの屋根の扉板空間８１の前の屋根と郵便受け本体主体部の壁の上面７２との境目を後ろ先端とする内側に伸びる郵便受け本体前面と平行の辺の方が長い細長い空間の中に、後ろぶ厚い物体７９の、後ろ外側はみ出し板８２を挿入すれば後は全く前のぶ厚い物体を郵便受け本体主体部に挿入する方法と同じで、少し違った点と云えば、後ろぶ厚い物体の前部の前外側はみ出し板１５７の下面と密着する同じ面積と形状の上を向いた面の前先端の線の中央から外側８５は下りてきた勾配を持つ面の後ろ先端、前記の平面とその勾配を持つ面との境目であり、内側半分８６は後に郵便受け本体主体部に投入される天井から伸びる物体１０の左右の面の後ろ端の部分と対面する凹部の上部後端となる。（図５９、図７７、図８７、図８８参照）。【００８５】  そして、その後ろぶ厚い物体７９の前の上部の斜め上を向いた面と前の下部の斜め上を向いた面には隙間無く磁石が取り付けられている。（図５９参照）。【００８６】  そして、次は、郵便受け本体内に入っている状態を郵便受け本体の横から見た場合、Ｔの字に見える天井から伸びる物体１０を郵便受け本体主体部にすでに挿入されている前のぶ厚い物体と後ろぶ厚い物体の間から挿入する。その方法は極めて簡単でＴの字の下の縦の部分の磁石が取り付けられていない面８４を前に向ける形で、Ｔの字の上の横一文字の部分の、郵便受け本体正面から見て左右に当たる両面に手を当て、前記のすでに取り付けられている前のぶ厚い物体７０と後ろぶ厚い物体７９の間の隙間の上からその隙間にＴの字の下先端が、Ｔの字の上の部分よりも郵便受け本体前面に近い距離になる斜めの角度で、ゆっくりと斜め下に下ろし、そして、Ｔの字の上の部分の左右の面を押えている手が、郵便受け本体主体部の壁の上面７２に当たりそうになり、それ以上その手を押えたまま下へ行くことが出来ない状態になった時に、Ｔの字の上の左右の面を押えている事を離すと、天井から伸びる物体は下に落ち郵便受け本体主体部の中に入るが、天井から伸びる物体のＴの字の上の部分の左右の部分の下面に細い糸状の物質をかけ、ゆっくりと天井から伸びる物体を下に下ろすと云う方法もある。（図７７、図７８、図８８、図８９参照）。【００８７】  郵便受け本体の横から見た場合、Ｔの字に見える天井から伸びる物体１０の上の横一文字の前を向いた面と後ろを向いた面、そして、Ｔの字の下の縦の部分の後ろの面には磁石が取り付けられており、それら三面に取り付けられた磁石は、それらの面と対面する前記の前と後ろのぶ厚い物体の面に取り付けられている磁石と互いに反発し、互いに対面する天井から伸びる物体の面と、前記の前と後ろのぶ厚い物体の面が密着して天井から伸びる物体１０がスムースに斜め上下運動が出来なくなる状態になることを防いでいる。（図７９、図８３参照）【００８８】  しかし、何らかの拍子で、前記のＴの字の縦の部分の前を向いた面が、その面と対面する前のぶ厚い物体の下の斜め下を向いた面に当たり、天井から伸びる物体１０が斜め上下運動をスムースに行えなくなる事態が発生するとも限らないので、前のぶ厚い物体の下部の斜め下を向いた面には、同じ高さの十数個〜二十数個のローラ状の物体、即ちそれらのローラ状の物体の一つに直角に平面が当たる場合は、その平面と対面する全てのローラ状の物体が当たると云う構造になっている前のぶ厚い物体の下部の後部のローラ４７に前記の天井から伸びる物体の下部の前を向いた面が当たったとしても、前記のローラ状の物体４７の回転により、その天井から伸びる物体を斜め上下に送り出すようになっている。（図６７参照）【００８９】  そして、その天井から伸びる物体１０の下先端は、シーソー板と触れ合う時に生じる摩擦を少なくするために回転が可能なローラ状の物体８７が取り付けられており、そのローラ状の物体８７と天井から伸びる物体本体８８とに空く隙間を前から見られた場合、見えない状態にするために天井から伸びる物体本体の下先端の前部からは、下に向かってまえかけ板８９が伸びている。（図８０、図８１、図８２、図８３、図８４、図８５、図７参照）。【００９０】  そのまえかけ板８９は薄い板状の物体で、天井から伸びる物体本体の左右の端からまっ直ぐ下に伸びた線が、そのまえかけ板８９の左右の端の位置であるが、下先端のローラ状の物体は、天井から伸びる物体本体と硬質素材でつくられた略Ｅ字状の部品９０によってつながれており、そのＥの字の横の二本の線となる部分は、天井から伸びる物体本体の下先端付近の左右の面の孔９１に入り込んでしっかりと動かないように取り付けられており、そして、そのＥの字の下の横の一本線の部分は、ロー���状の物体の左右の外側を向いた面の中央に在る穴状の部分に、そのローラ状の物体が行う回転運動に必要なスペースを保って、その穴状の部分の中に入っている。そのＥ字状の部品の外側端となる部分の位置は、前記の天井から伸びる物体本体の左右の端と同じ縦の線上でなくてはならず、従ってローラ状の物体と、そのローラ状の物体と略Ｅ字状の部品で接続されている天井から伸びる物体本体の下先端部分の左右の端の部分は、天井から伸びる物体本体の他の殆どを占める左右の端の部分と比べて少し内側に存在している。（図８４参照）。【００９１】  前記の前と後ろの二つのぶ厚い物体の隙間から下に出ている天井から伸びる物体の左右の端は、後に説明する内壁に在る凹部の中に常に入っていることで投入口から中を見た者には天井から伸びる物体と内壁との間には全く隙間が無いように見える。（図７、図７１、図８４参照）【００９２】  そして、次は、郵便受け本体主体部にすでに挿入されている前のぶ厚い物体７０と後ろぶ厚い物体７９の間に、中央上部体９２を置くわけであるが、そのまえに、現在の郵便受け本体主体部４０の説明をすると、前のぶ厚い物体７０と後ろぶ厚い物体７９がすでに挿入されて、固定されており、それらは、ま上に持ち上げなければ、郵便受け本体主体部から外すことはできないと云う状態であり、そして天井から伸びる物体１０もすでに郵便受け本体主体部の中に在る。その、郵便受け本体主体部４０を上から見た場合、前のぶ厚い物体７０と後ろぶ厚い物体の間の郵便受け本体主体部の壁の上面の最も外側となる部分は、後に説明する壁上面外側勾配部下９３であり、その内側は郵便受け本体の側面と平行の辺の方が長い長方形の水平の平面であり、その内側は、前記の（００８０）と（００８４）の説明でも分るように最も高い部分の高さが前記のこの外側の平面と同じ高さの、前から後ろに向かって下がる勾配を持つ平面となっており、後にそれらの上から置かれる中央上部体の下面と接する部分はそれら三面であり、その中央上部体９２の前後の面と接するのは、前記の前のぶ厚い物体７０の後ろを向いた面と前記の後ろぶ厚い物体７９の前を向いた面である。（図６０、図７６参照）。【００９３】  前記の勾配を持つ平面８３の内側は、天井から伸びる物体を左右から挟む凹部９４となっており、その凹部を上から見た場合、天井から伸びる物体の左右の面と向いに前後の線として見えているところは、天井から伸びる物体の左右の面と対面する凹部の奥の面と云うことになる。【００９４】  前記の壁上面外側勾配部下９３とその内側の水平の平面９５、そして、その水平の面の内側の勾配を持つ面の上から下りてくる中央上部体９２は、それらの面と密着する形状になっており、郵便受け本体主体部の壁の上面に中央上部体が載っている状態での前記の勾配を持つ平面８３の内側端、即ち前記の凹部の奥の面の上部先端となる辺から内側に在る下に密着するものが無い中央上部体の下を向いた面９６は、前記の勾配を持つ平面８３と、中央上部体が郵便受け本体主体部に取り付けられている状態では、平行の勾配になっており、その左右の勾配を持つ平面の上に、その中央上部体の下を向いた面の左右の部分が載っている状態になっており、即ち、その下を向い��面の左右の端は、前記の郵便受け本体主体部の前のぶ厚い物体７０と後ろぶ厚い物体７９に前後を挟まれていた壁の上面に在る水平の平面９５と勾配を持つ平面の境目に在ると云うことになる。（図６０参照）。【００９５】  その、郵便受け本体主体部の壁の上面に載っている中央上部体の下を向いた面の、下に密着しているものが無い中央の部分は、主に前記の二つのぶ厚い物体によってつくられている天井から伸びる物体１０を囲む空間の天井の部分となり、その天井の部分は、天井から伸びる物体の上面と平行であり、何かの拍子で天井から伸びる物体が上に上がった場合は、その天井から伸びる物体の上部を受け止めて天井から伸びる物体をそれ以上上へ行くことが出来ないようにする役目を持っている。【００９６】  中央上部体９２を郵便受け本体主体部に載せる作業が終わった後の中央上部体の屋根とその屋根の周辺の状況は、その前後は、前後の二つの物体の屋根の前後の面と密着しているくらいに隙間は無く、屋根の上面の高さは、前後の二つのぶ厚い物体の屋根の上面の高さと同じなので三つの物体の屋根は一面の状態である。【００９７】内壁に入る凹部９４の形状とその凹部とその凹部と隣接する部分との互いの位置関係を説明する
と郵便受け本体内の前記の天井から伸びる物体の左右の面と対面する位置にある左右の内壁に存在する凹部９４の奥、即ち郵便受けの側面の表面に近い距離に在る面は、その内側の天井から伸びる物体の、前記のローラ状の物体と天井から伸びる物体本体とを接続するためのＥ字状の部品９０のＥの字の横線の部分が入っている天井から伸びる物体本体の下先端付近の左右の面とローラ状の物体の左右の端を除いた、左右の面との間に薄紙一枚の隙間を保つ位置に在り、その上天井部９７は前記の中央上部体９２の下面の左右の壁と触れていない左右の端付近の位置であり、そして、郵便受け本体の前の方向となる内壁からはじまるその凹部の前の辺の形状と位置は、前記の前のぶ厚い物体７０の下先端付近までは、その前のぶ厚い物体の後ろ端の形状と全く同じでそのま横に位置し、そして、その郵便受け本体の後ろの方向となる内壁からはじまるその凹部の後ろの辺と形状と位置は、後ろぶ厚い物体７９の下先端付近までは、その後ろぶ厚い物体の前の辺と全く同じ形状でそのま横に位置している。（図７１参照）。【００９８】  そして、前記の前のぶ厚い物体７０の後ろの下部の斜め下を向いた面のローラ状の物体群９８の下先端のローラ状の物体と前記の二つのぶ厚い物体で主につくられる天井から伸びる物体１０を囲む隙間の下先端との間の位置からその凹部の左右の辺は、その左右の辺と直角に互いに入り、その二つの辺は天井から伸びる物体のＴの字の縦の部分が行う斜め上下運動の中心線を中心にして左右が同じ長さのそのＴ字状の物体の下の縦の部分が行う斜め上下運動に必要な最少限の幅のところまで来ると、互いに自身の辺と直角に、即ち天井から伸びる物体が行う斜め上下運動と平行に斜め下へ下がっている。（図７１参照）。【００９９】  その内壁に存在する凹部は三段階に分かれており、前記の中央上部体９２の下面の高さから主に二つのぶ厚い物体でつくられた大きな空間と小さな空間の境目、即ちＴ字状の上の横一文字の下の面が密着してそれ以上下へ行くことが出来ない平面の部分までを上部９９、そして、その境目から下の凹部の幅がさらに狭くなる部分までを中部１００そして、それより下の凹部を下部１０１とした場合、その上部の一部分のみ二つのぶ厚い物体によってつくられた空間の中に在り、他の大部分が、その空間から下の内壁に在るその凹部の下部１０１は、投入口が存在する間は投入口と郵便受け底との間には隙間をつくらないシステムを保つためには欠かせない存在となっている。（図７１参照）。【０１００】  その内壁に在る凹部の下部の役目は、前記の二つのぶ厚い物体がつくる空間から下へ出ているローラ状の物体と天井から伸びる物体の左右の端の部分を自身の中に常に入れ、投入口から中を見た者には天井から伸びる物体と左右の内壁との間には一切隙間が無いように見せ、そして、投入口の縦幅が最長になった時のシーソー板の上に載るローラ状の物体の左右の端の下先端を、自身の下先端の、前記の天井から伸びる物体が行う斜め上下運動の中心線と直角に存在する平面上に乗せることで、シーソー板後部がそれ以上下がったとしても、前記のローラ状の物体は、そこから下へは行くことが出来ないようにしている。（図８４参照）。【０１０１】  その���は、郵便受け本体主体部の壁の上に載せられた状態の前のぶ厚い物体７０、中央上部体９２、後ろぶ厚い物体７９、そして、その後ろの扉板空間８１の前の郵便受け本体主体部のそれぞれの部分の上部に存在するつなぎ板空道１０２、１０３、１０４、１０９に、超硬質素材で出来た薄い一板のつなぎ板１０５を貫通させて前のぶ厚い物体前に位置する郵便受け本体主体部前部の後ろ側上面に空くつなぎ板空間１０６の奥の部分まで、前記のつなぎ板１０５の先端を届かせて、そのつなぎ板をその状態で固定し、前記の前のぶ厚い物体、中央上部体、後ろぶ厚い物体を郵便受け本体主体部から取り外すことが出来ない状態にする作業を行う。【０１０２】  後に説明する鍵板２８は、自身が有するネジを上下に通すための穴の数と位置、そして、郵便受け本体に取り付けられた時に郵便受け本体の側面と平行になる辺のそれぞれの長さに違いはあるが、その二点以外の横辺の長さ、上下幅の厚さは、前記のつなぎ板１０５と全く同じ形状であり、郵便受け本体最後部の後ろを向いた面の上部には、主に郵便受けの解錠、施錠の度にその鍵板２８を自身の中に通す役目を持つ鍵板空道１０８が存在している。（図１０６、図１０７、図１１１参照）。【０１０３】  鍵板空道１０８とつなぎ板空道１０２、１０３、１０４、１０９の上下の幅と横辺の長さは同じ長さであり、鍵板２８とつなぎ板は、それらの空道にすんなりと入ることが出来る形状につくられている。（図３、図９、図６０、図７２参照）。【０１０４】  つなぎ板１０５は超硬質素材で出来ている板状の物体であり、後部には数個の穴を有しており、前部にはその様な穴は無く、どちらの面を上にしてもそれらの穴状の部分は、つなぎ板を郵便受け本体に取り付ける最終段階には、後に説明する扉板空間８１前の郵便受け本体主体部のつなぎ板空道１０９を上下に貫通するつなぎ板取り付け穴１２２の中心に入ることが出来、それぞれが上下につながった、扉板空間８１の前の、郵便受け本体主体部の上部の下を向いた面の方を入口とする長い孔をつくることが出来、それら一つ一つは、ネジを前記の孔の入口から進入させてそれらの孔の上の奥先端までネジの先端を進出させることが出来る状態となる。（図１２８、図９１、図９２参照）。【０１０５】  つなぎ板を郵便受け本体内に挿入する方法は、つなぎ板の前部を前記の郵便受け本体上部最後部上部の鍵板空道１０８に挿入し、少し押す。そうするとつなぎ板先端は扉板空間８１の中に入る。そして、郵便受け後ろの空間から手を入れてその手を扉板空間まで伸ばし、そして、指先につなぎ板先端を載せて扉板空間の前に在る郵便受け本体主体部の上面のつなぎ板空道１０９に、そのつなぎ板先端を挿入する。そして、その手を扉板空間から出し、つなぎ板最後部を鍵板空道入口１１８に手が当たるところまで押す。【０１０６】そして、前記の鍵板空道の中に見えているつなぎ板最後部に鍵板２８の先端部を当て、つなぎ板最後部を前記の扉板空間８１の中まで押し出す。そして、その扉板空間に上から手を入れ、つなぎ板の最後部を指で前へ押して前記のつなぎ板空道の中に入れ、その後から鍵板空道入口１１８から鍵板を再び挿入し、その鍵板の先端が前記の扉板空間の中まで来れば、郵便受け後部の��間から手を入れてその手の指先で鍵板の下面を支え鍵板先端を前記のつなぎ板空道最後部に導くように入れる。（図１０８、図９０参照）。【０１０７】そして、前記の鍵板空道１０８から後ろに出ている鍵板後部を止まるところまで押すと、前記のつなぎ板空道先端は完全に、郵便受け本体主体部の壁の上面に載っている後ろぶ厚い物体７９、中央上部体９２、そして前のぶ厚い物体の上部に空くそれぞれのつなぎ板空道を通り抜け、郵便受け本体主体部の前部上部に在るつなぎ板空間の先端部に到達している。【０１０８】  前記のように、つなぎ板先端が郵便受け本体主体部前部４０の上部が有するつなぎ板空間１０６の先端部に到達している状態になると、前記の扉板空間８１の前側に位置する郵便受け本体主体部が有する、つなぎ板挿入まえは空になっていたつなぎ板空道１０９に、そのつなぎ板空道１０９の最後部のわずか前の位置につなぎ板最後部がきている状態でつなぎ板が入っており、つなぎ板挿入まえは、そのつなぎ板空道が、その郵便受け本体主体部上部中に存在する上下に存在する複数の孔を切断している形状だったものが、つなぎ板挿入後は、それらの孔を上下に切断していたところに、つなぎ板の穴状の部分が入り、上下が完全につながる下面に在る部分を入口とする長い孔となっている。【０１０９】  前記の状態になったそれらの孔にネジを取り付ける方法は、手にそれらの孔に挿入するネジを持ち、その手を郵便受け本体主体部の後ろの空いた部分から進入させ、前記のつなぎ板が入っているつなぎ板空道を持つ、扉板空間８１の前側に位置する郵便受け本体主体部の上部の下面に在る前記の孔の入口となる穴状の部分の一つに、ネジの先端を挿入し、つなぎ板空道の上のネジの溝のある部分まで上に押してから手でまわして、そのネジを軽く固定し、後、ドライバー等を用いてそのネジの先端を上側奥へ進入させ、ネジの頭の上面を前記の下面と水平の状態にする。その作業をその付近の全ての孔に行えば、前記の前のぶ厚い物体７０、中央上部体９２、後ろぶ厚い物体７９を郵便受け本体主体部から取り外すことが出来なくする状態にする作業は完了である。（図９１参照）。【０１１０】  なを、現在郵便受け主体部４０に取り付けられている状態の、前のぶ厚い物体７０、中央上部体９２、後ろぶ厚い物体７９の下に在る郵便受け本体主体部の壁の上面の外側端には、外側先端に下がった勾配を持つ外側勾配部下９３が在り、その上に前記の三つの物体の下面外側に在る外側勾配部上１１１が密着している状態になっているが、そうすることで外からの雨が郵便受け内に浸入することを防いでいる。【０１１１】  次は、郵便受け本体に主に雨よけの役目を果たすカバーを取り付ける作業を行う。そのカバー６６は、硬めのゴムかプラスチック、またはそれらに近い硬さを持つ素材でできており、そのカバーをま上から見れば、横の辺の長さが郵便受け本体の横の辺の長さと同じで、縦の辺は、郵便受け本体前先端部から後に説明する郵便受け本体上部最後部の凸部を除いた郵便受けの屋根の後ろ端となる部分までの長さと同じ長さの略長方形であり、その両横の縦の辺の中央に近い部分を中心にしてそのカバーの厚みと同じ長さの辺がその縦の辺から直角に、両横それぞれ二本づつ外側に出ており、その外側に直角に出たカバーの厚さと同じ長さの辺が長方形の短い方の辺となり、その外側に出た二本の辺の外側の先端どうしをつなぐカバーの縦の辺の１／２強の長さを持つ直線が、その長方形の長い方の辺の一辺となっている。【０１１２】  そのカバーを郵便受け本体のま上に持って行き、そして、そのカバーの前の左右の角と郵便受け本体の前先端のへ先１の左右の角と合わせてま下へそのカバーを下ろせば、そのカバーの郵便受け本体の屋根に在る角かくし６３を覆うそのカバーの部分が角かくし６３をゆったりと覆うスペースを持ってつくられているので、前記のカバーの縦の辺から外側へはみ出した長方形の部分を除くカバーの平面部分全体が、前記の郵便受け本体上部最後部の凸部を除いた屋根の上面に載ることが出来る。
その状態になると、郵便受け本体の屋根に取り付けられているマジックテープと、カバーの下面の凹部に取り付けられているマジックテープが下上に密着している状態なので、そのカバーは、郵便受け本体の屋根に軽く取り付けられている状態となっている。【０１１３】  そして、前記の上から見た場合、そのカバーの縦の辺とつながって縦の辺の外側の長方形に見える部分の前先端は、前記の前のぶ厚い物体の前先端部の少し前の部分であり、最後部は後ろぶ厚い物体の最後部の少し後ろの部分である。
その上から見ると長方形に見える物体は、郵便受け本体の屋根に載るカバー本体の平面と直角に存在し、そのカバー本体の平面の下面が郵便受け本体の屋根と密着している時は、郵便受け本体の左右の壁の表面と密着している。その、上から見ると長方形に見える物体を、その物体の本体でもあるカバーの本体の平面の下の部分が郵便受け本体の屋根に密着している時に郵便受け本体の横から見ると、その最上部は、郵便受け本体屋根の上に載るカバーの上面と平面の状態になっており、その上下の長さは、角かくし６３の部分を除く郵便受け本体の上下の長さの約１／７であり、下側の部分には、二つの穴状の部分が存在している。【０１１４】  その穴状の部分は、郵便受け本体の屋根の上にカバーが正しく載っている状態、即ち今の状態ならば、その穴状の部分は、郵便受け本体の左右の壁の表面に空くネジの溝を持つ孔１１２とつながり、一つの孔を形成している状態であり、皿小ネジをその穴状の部分に入れて手でまわし、後ドライバー等で取り付けることが出来る状態であり、今現在郵便受け本体の屋根の上面に載っているカバー本体の左右の辺から下に出ている部分に在る二ヶ所、左右合わせて四ヶ所の穴状の部分に、皿小ネジを取り付ければ郵便受け本体にカバーを取り付ける作業は完了である。（図２、図７８、図９３参照）。【０１１５】  郵便受け本体主体部中央に在る壁の上面の左右端の前記の外側勾配部下９３に前のぶ厚い物体７０、中央上部体９２後ろぶ厚い物体７９のそれぞれの下面にある前記の外側勾配部を載せる角度により、それらの上となる部分と下となる部分の境目から雨が浸入することを防いでいるが、さらにその周りにカバーを当てることにより、二重のガードで雨を防いでいることとなる。【０１１６】  次は扉板２５を郵便受け本体にセットする訳であるが、その方法は極めて簡単で、郵便受け本体の扉板空間の上から、その下は空間になっている扉板のつらら板１１３の在る方が後ろ側になるようにして扉板を郵便受け本体内に挿入すれば、扉板は郵便受け本体内に納まっていることとなる。【０１１７】  そして、その扉板が郵便受け本体内に納まった状態を郵便受け本体の外側後ろ方向から見た場合は、前記のつらら板の内側には、郵便受け本体の一部でもある透明体が在るが、その透明体の上の部分は、前記のつらら板に隠れて見えないが、その透明体の下の部分の上部は、つらら板の下先端よりも下に在るので、つらら板の下の空間を通して外からでも見えることが出来る。なを、前記の透明体の下の部分の下部は常に郵便受け本体の中に在り、決して外からは見ることは出来ないところに位置している。（図５、図１８、図９６参照）。【０１１８】そして、前記のつらら板１１３の下先端は、扉板を横から見た場合内側が下を向いた鋭角の形状になっているため、斜め上の角度からでもつらら板の内側に在る透明体の下の部分の上部を見ることが出来る。（図９６参照）。【０１１９】そのために透明体の中に在るダミーも含めた糸状の物質の外側先端部の状況も外側から透明体２６を通して見ることが出来、前記の郵便受け本体内の後部が空中に浮く底板５の上に郵便物等が載り、その後部が下がっているかどうかを、その後部が空中に浮く底板の最後部付近上面に在���複数のヨート１６の内のどのヨートがどの糸状の物質に取り付けられているかを、知るものだけが、知ることが出来る。【０１２０】  前記の透明体は、前記のシーソー板９の横の長さよりも、その長さの約３／７ほど長い長さを持っており、その左右の先端にはその透明体と直角に接する透明体と同じ高さの板状の部分１１４が在り、それらはＴ字状の形を形成しており、その板状の部分も含めた透明体の上先端は、柔らかいゴム状の物質が取り付けられており、扉板が郵便受け本体内に納まっている時は、前記の扉板のつらら板１１３の内側に在る上の部分が深くなっている凹部のその深いところに在る下を向いた平面の部分にそのゴム状の部分が密着しており、扉板のその凹部の前側の下を向いた平面の部分１１５は、仕切り板２７の上先端のゴム状の部分が密着している状態になっている。（図１００、図１７、図１８参照）。【０１２１】  扉板の左右の部分の下面は、郵便受け本体内に扉板が納まった時には、郵便受け本体の谷の底の平面１１６と密着しており、その密着した扉板の下面から前記の透明体の上の先端部の高さの間の部分を、水平に切断してその部分を上から見た場合は、その扉板の左右の部分の中にはＴの字の下の先端が空いている略Ｔ字状の空間が在り、その略Ｔ字状の空間は、前記のＴ字状の部分を覆う形となっている。（図９７、図１０１、図１０２、図１０３参照）。【０１２２】扉板上部には、薄い板状の物体がようやく入る大きさを持つ前後に貫通する空道が存在し、その空道は、扉板が郵便受け本体内に納まった時は、その空道の前には、扉板の前の郵便受け本体上部に空く現在は最後部付近を除いたその部分より前につなぎ板が入っている、横幅、縦幅がその扉板空道のそれらと全く同じ長さと形状を持つ空間が在り、その空道と空間は後ろ前に密着し、つながった状態になっている。（図９４、図９５、図９６、図９８参照）。【０１２３】そして、その状態になった扉板の後ろには、扉板の空道と全く同じ横幅、縦幅の長さと形状を持つ郵便受け本体上部後部の空道が在り、その二つの空道は前後に密着している。【０１２４】  そして、その郵便受け本体上部後部の後ろには、前記の後ろ側にはみ出した凸部が在り、そしてその凸部にも前記の空間と二つの空道と全く同じ横幅、縦幅の長さと形状を持つ空道が存在しており、その空道もその空道の前の郵便受け本体上部後部に空く空道と密着している。【０１２５】  そして、前記の一つの空間とその後ろの三つの空道によって長い空道が形成されており、鍵板空道と呼ばれるその長い空道は、郵便受けを施錠する時には無くては無らないものである。【０１２６】  鍵板２８は、前記のつなぎ板と全く同じ長さの横幅と縦幅を持ち、そしてその前後の長さは、郵便受け本体内にセットされている状況から表現すると、前記の扉板の前の郵便受け本体上面の中の空道の中のつなぎ板の後ろ先端から郵便受け本体上部最後部の凸部の後ろ先端より０．５ｃｍ〜１．０ｃｍはみ出す長さである。そして、その鍵板の後部中央には円く切り取られた部分が在り、その穴状の空道は前記の凸部の前部を上下に貫く穴状の部分の中央のところに来ると施錠が出来る状態となる。【０１２７】  その施錠が出来る状態をつくり出す方法は極めて���単で、鍵板を穴状の部分の無い前の方から前記の凸部の最後部中央に空く鍵板空道入口１１８から挿入し、止まるところまで手で押すと自然と鍵板空道の中に鍵板本体と供に入ったその穴状の部分は、凸部の前部を上下に貫く穴状の部分の中央に着き、その時に鍵板前先端は、扉板の前の郵便受け本体上面の中に在る空道の中のつなぎ板最後部と密着している。（図９２参照）。【０１２８】  そして、その一つの部分と一つの物体によってつくられた上下にはしる穴状の部分に錠前のつるを挿入し、施錠することができる。（図１１０、図３参照）。【０１２９】郵便受け箱の中の郵便物等を盗る窃盗行為等は防げるとしても、このままの状態では、郵便受け箱ごとその中の郵便物を持ち去られる危険性はかなり在ると云うことである。【０１３０】その危険性を少くする方法であるが、それは製造の段階ではあるが、郵便受け箱主体部の未だ磁石が取り付けられていない床の数ヶ所に、上からネジが入り完全に郵便受けが固定された後は、ネジの頭の頂上が完全にそのネジの入った床と平面となる構造をした上の床面と下の底下面を上下に貫く空道をまず設ける。また、すでに床に磁石が取り付けられている場合は、それらの磁石が複数であり、部分的に取り外すことが出来る状態ならば、それらの磁石の中の数枚をはがし、前記と同じ床の上下を貫く空道をつくればよい。（図１１３、図１１４参照）。【０１３１】  そして、決して動かせることが出来ない上が水平の平面となった郵便受けを載せる土台を用意し、その土台の上面に、前記の郵便受け本体主体部を載せた時、前記の郵便受けの床に空いた空道の下になる位置に、その空道と同じ直径を持つ、ネジの溝の入った孔を前記の空道の数と同じ数だけつくる。【０１３２】そして、その土台の上に床を上下に貫く空道１１９と下の土台表面から空くネジ穴孔１２０が上下に重なり一つのネジ穴孔となるように郵便受け本体主体部を前記の土台の上に置き、そして前記の郵便受け本体の床に空く空道の全てにネジを挿入し、先端にネジを回すための凹凸の面を持つＬ字型工具かドライバー等を使用してネジを固定し、郵便受け本体主体部とその下の土台を接続する。（図１１５参照）。【０１３３】そして、その後、郵便受け本体主体部の床一面に磁石を取り付けるか、または、磁石をはがしたために空いているところに再び磁石を取り付け、元の床一面に磁石が取り付けられた状態にするかのどちらかを行うのも良いし、また郵便受け箱を土台から取り外す予定がある場合は、前記のネジの上の部分のみ磁石を取り付けない方が良い。【０１３４】そして、その作業が終わった後に、郵便受けの組み立ての作業を行うことも出来る。
【産業上の利用可能性】
【０１３５】  本発明は、郵便受け内の郵便物等を盗難から守る機能を備えた主に戸建用として使用される郵便物窃盗不可能郵便受け箱であり、郵便受け箱を製造販売する産業分野で利用することができる。
【図面の簡単な説明】
【０１３６】
【図１】本発明の郵便受け箱の完成した状態を斜め上から視た図である。
【図２】郵便受け本体主体部を正面から向って右側から視た図である。
【図３】施錠された状態の郵便受け箱をま後ろから視た図である。
【図４】郵便受け箱の組み立ての段階でのシーソー板本体の中に未だ完全に入っていない円筒磁石棒の後ろ端を円柱状の物体を使って押している図である。
【図５】郵便受け箱の普段の状態での、その郵便受け箱の横辺中央縦断面図である。
【図６】郵便物投入をしようとしている瞬間の郵便受け横辺中央縦断面図である。
【図７】投入口の縦幅最大時の投入口から差し入れられたファイバースコープ等で奥を見た時に現れる図である。
【図８】投入口が無くなった瞬間の郵便受け横辺中央縦断面図である。
【図９】扉板を上に上げ、その上がった扉板から手を離してもその扉板が落ちない様に扉板の扉板左右貫通穴に扉板落ち止め棒を挿入しようとしている図である。
【図１０】郵便受け内の郵便物を取り出そうとしている郵便受け横辺中央縦断面図である。
【図１１】郵便受け本体のきのこ状の物体の頂上の台の前部下面にある堅い素材でできた輪に、ダミーの糸状の物質を取り付けようとしている郵便受け横辺中央縦断面図である。
【図１２】底板とシーソー板の先端部の中の空道に在る円筒状の物体の左右の両面から出ている棒状の物体を内側に入れる時等に用いる先端部がノコギリ刃状の凹凸の棒状の物体である。
【図１３】（図１２）の棒状の物体を使って底板を持ち上げている図である。
【図１４】（図１３）のように底板の先端部の隙間の中に在る円筒状の物体の穴の中に棒状の物体を二本入れて内側に圧力を加えて底板先端部の左右の端から出ている二本の棒状の物体を底板の中にしまい込み、その状態を保ったまま底板先端部を下げてゆき、その底板の先端部が左右の内壁の同じ位置に空く孔の中央に来た時に、内側にかけている圧力をゆるめて底板の先端部の左右の端から本の棒状の物体を突出させ、前記の孔の中に入れようと作業を行っている状態の郵便受け本体主体部の横辺中央縦断面図である。
【図１５】底板の裏面の図である。
【図１６】円筒状の物体と二つの郵便物脱落防止板が取り付けられた底板の図である。
【図１７】郵便受け内にセットされた郵便物脱落防止板を取り除いた郵便受け正面から見て底板後部の右角付近を縦に、透明体上部を水平に断面した図である。
【図１８】郵便受け本体内にセットされた郵便物脱落防止板、その周囲に重量調整板、そして糸状の物質が取り付けられた状態の底板横辺中央とその付近の縦断面図である。
【図１９】コレナニ板がセットされるまえの表面板正面図である。
【図２０】コレナニ板が取り付けられるまえの表面板を裏側から見た図である。
【図２１】コレナニ板を裏側から見た図である。
【図２２】コレナニ板を表面板に取り付けようとしているコレナニ板と表面板の接続面中央縦断面図である。
【図２３】コレナニ板が表面板に取り付けられた状態を斜め前から視た図である。
【図２４】郵便受け内のシーソー板が水平になった状態時の、そのシーソー板の縦幅中央を水平に切断した状態とその付近の状態を現した図である。
【図２５】郵便受け箱正面を向いて右側面外に位置するレール板の凹部に入る表面板側面凸部を省いたレール板の凹部奥の縦面中央のその縦面と直角に縦に切断した部分からのレール板の後部の図である。
【図２６】郵便受け箱の組み立ての段階でのシーソー板本体に円筒磁石棒を挿入しようとしている図である。
【図２７】未だ施錠をしていないが郵便受け本体上にカバーを取り付け、後、扉板を挿入した後の郵便受けを上から見た図である。
【図２８】郵便受け箱の組み立ての段階でのシーソー板本体内に、指で押すことが出来ない位置まで円筒磁石棒を指で押している図である。
【図２９】円筒磁石棒がセットされた郵便受け本体内の水平の状態に近いシーソー板の中央付近を横に切断した図である。
【図３０】円筒磁石棒が入っている郵便受け内の水平か水平に近い状態のシーソー板を後ろから見た図である。
【図３１】円筒状の物体を横から見た図である。
【図３２】円筒状の物体の中心の縦切り断面図である。
【図３３】郵便受け内の水平か水平に近いシーソー板の内壁と接触する部分の拡大断面図である。
【図３４】投入口体の後面斜視図である。
【図３５】投入口体の横辺中央縦断面図である。
【図３６】上押え板斜視図である。
【図３７】下押え板斜視図である。
【図３８】表面板の窓の横辺中央縦断面図である。
【図３９】投入口体を斜め前から視た図である。
【図４０】上押え板の横辺中央縦断面図である。
【図４１】下押え板の横辺中央縦断面図である。
【図４２】投入口体が表面板に取り付けられる状態を現した投入口体と表面板の窓の横辺中央の縦断面図である。
【図４３】円筒状の物体と郵便物はみ出し防止板、そして円筒磁石棒が取り付けられたシーソー板の図である。
【図４４】表面板の窓の下の凹部を表面板の裏側から見た図である。
【図４５】表面板の窓の下の凹部の左右の枠から外へ向って広がる隙間の前後の幅の中央を表面板の前面と平行に切断した面の図である。
【図４６】表面板の窓の下の凹部の上部から左右に広がる隙間の中に、シーソー板の先端部左右の端から外へ出ている棒状の物体を挿入し、前へ押している図である。
【図４７】〔図４６〕の凹部の下部の外から見えない状態の左右に伸びる空間の中に、シーソー板の棒状の物体が完全に入りシーソー板本体が表面板に取り付けられている図である。
【図４８】Ｓ字型器具の図である。
【図４９】シーソー板先端部の中の円筒状の物体の左右の穴にＳ字型器具のＳ字の金具が片方づつ取り付けられ、円筒状の物体の両面から外へ出た棒状の物体が中へ入り込んだ状態のシーソー板を表面板の窓の下の凹部の上部から左右へ伸びる空間の中へ入れ、後、下へ下ろしている図である。
【図５０】投入口体の窓状の部分を表面板の裏側から表面板の窓の上下の板状の部分に当て、その状態を保つために投入口体後部に指を当て、表面板方向に力を加えている図である。
【図５１】表面板の窓の下の縦の部分、その裏側に投入口体の窓状の下の薄い板状の部分、そして、その後ろに下押え板がくるように並び重ねて、ドライバーを利用して表面板と投入口体と下押え板を接続している図である。
【図５２】コレナニ板、シーソー板本体、投入口体が取り付けられた表面板を斜め前から見た図。
【図５３】郵便受け本体正面図である。
【図５４】（図５２）の表面板を郵便受け本体前面の正面から近付けて、表面板裏側と郵便受け本体前面を密着させようとしている図である。
【図５５】へ先の根元の左右の下面に在る凹部に取り付けられているヨートと、表面板の上面の左右の面の凹部に取り付けられているヨートをペンチを用いてスプリングでつなごうとしている図である。
【図５６】レール板を郵便受け本体側面に取り付けようとしている図。
【図５７】郵便受け本体側面に取り付けられたけし板から出ているスプリング隠し板が、郵便受けの平常時に表面板の側面の凹部に入っている様子を現した図である。
【図５８】前のぶ厚い物体の斜視図である。
【図５９】後ろぶ厚い物体の斜視図である。
【図６０】中央上部体斜視図である。
【図６１】表面板受け止め板空道中心部の郵便受けの縦の辺と平行に切断した図である。
【図６２】投入口縦幅調整板の薄い板の斜視図である。
【図６３】投入口縦幅調整板の厚い板の斜視図である。
【図６４】投入口縦幅調整板の縦辺中央横断面図である。
【図６５】投入口縦幅調整板を表面板受け止め板に取り付けようとしている図である。
【図６６】前のぶ厚い物体の後面下部に取り付けられるローラ状の物体群の内の一つのローラ状の物体の斜視図である。
【図６７】前のぶ厚い物体の後方下部から出ているローラ状の物体群の中のローラの先端に天井から伸びる物体の斜め上を向いた面の一部が当たっている図である。
【図６８】前のぶ厚い物体の後方下部の面に取り付けられたローラ状の物体の中心部継断面図。
【図６９】前のぶ厚い物体の後方下部の面に取り付けられたローラ状の物体群を正面から見た図。
【図７０】郵便受け本体後面の角板と透明体の見える部分の拡大図。
【図７１】コレナニ板、シーソー板、投入口体が取り付けられた表面板が郵便受け本体前面と密着し、レール板によって接続され、郵便受け本体のへ先より伸びたスプリングによって自身を上へ上げられ、自身の一部でもある角板が郵便受け本体の角かくしの中に入っている状態の郵便受けの組み立て段階の郵便受け本体横辺中央縦断面図である。
【図７２】前のぶ厚い物体を郵便受け本体内に挿入しようとしている瞬間の郵便受け本体主体部のつなぎ板空間中央の横断面図である。
【図７３】前のぶ厚い物体の前外側はみ出し板を、郵便受け本体主体部上から、郵便受け本体主体部のその前外側はみ出し板が入る空間に入れようとしている郵便受け本体横切断面図である。
【図７４】前のぶ厚い物体の投入まえの郵便受けの組み立て段階の状態を上から見た図である。
【図７５】組み立て段階の、前のぶ厚い物体投入後の郵便受けを上から見た図である。
【図７６】天井から伸びる物体投入後の組み立て段階の郵便受けを上から見た図。
【図７７】後ろぶ厚い物体投入後の組み立て段階の郵便受けを上から見た図である。
【図７８】中央上部体投入後の組み立て段階の郵便受け箱。
【図７９】天井から伸びる物体斜視図である。
【図８０】天井から伸びる物体の中心部横断面図である。
【図８１】略Ｅ字状の部品のＥの字の下の横線の部分が入り込んだローラ状の物体の斜視図。
【図８２】まえかけ板下先端付近を天井から伸びる物体の縦面と直角の角度で切断した図である。
【図８３】天井から伸びる物体を後ろから視た図である。
【図８４】内壁に入る凹部の下先端の上に載る天井から伸びる物体のローラ状の物体の下先端部付近を中心とする天井から伸びる物体の前後の幅の中央の縦断面図である。
【図８５】天井から伸びる物体の下先端部のローラ状の物体と、天井から伸びる物体の側面下先端部とまえかけ板の拡大図。
【図８６】郵便受け本体上から前のぶ厚い物体を投入しようとしている組み立て段階の郵便受け横辺中央縦断面図である。
【図８７】前のぶ厚い物体の投入完了後の組み立て段階の郵便受け横辺中央縦断面図である。
【図８８】後ろぶ厚い物体投入完了後の郵便受けの組み立て段階の郵便受け横辺中央縦断面図である。
【図８９】郵便受け本体上から天井から伸びる物体を、すでに郵便受け本体にセットされている前のぶ厚い物体と後ろぶ厚い物体の間から糸状の物質を用いて郵便受け内に入れようとしている状態の郵便受け横辺中央縦断面図である。
【図９０】郵便受け本体主体部上面の中のつなぎ板空道の中に在る、現在は後部先端がそのつなぎ板空道の後面と同じ縦の線上に在るつなぎ板をより深く中へ入れるために鍵板先端でそのつなぎ板の後ろ先端を前へ押すわけであるが、その方法をとるために、鍵板空道入口から鍵板を入れ、その鍵板の先端が扉板空間に出た時に郵便受け本体後部の空間から入れた手を扉板空間まで進入させて鍵板下面に指を当て鍵板先端を前記のつなぎ板空道の入口まで導こうとしている郵便受け横辺中央縦断面図である。
【図９１】つなぎ板先端が郵便受け本体前部のつなぎ板空間の前先端まで到達し、つなぎ板後部に空く穴状の部分が上下に二分されているつなぎ板取り付け穴の中央に来て上下に長い孔となった部分に入るネジをＬ字型工具を利用して郵便受け後ろに空く空間から入れた手により回しながら取り付けている図である。
【図９２】完全に組み立てられた郵便受けの上部の最後部の鍵板空道入口から鍵板を挿入し、その先端が鍵板空道の一部でもある扉板の鍵板空道の中に入っているがこの状態は解錠された状態から施錠するために鍵板の先端を、扉板の前のつなぎ板後ろ端がつなぎ板空道に入ったために現在は鍵板空間となっているつなぎ板の後ろ端の後ろに空く空間に入れ、扉板を上に上げようとしても上げることができない状態にしようとしている郵便受け横辺中央の縦断面図である。
【図９３】郵便受け上部屋根の上にカバーが取り付けられ扉板を投入するまえの状態を上から視た図である。
【図９４】郵便受けに取り付けられると後面となる方向の扉板を視た図である。
【図９５】扉板の前後幅中央の縦切断面から、扉板が郵便受けに取り付けられると後ろの方向となる部分を視た図である。
【図９６】扉板横辺中央の縦断面図である。
【図９７】扉板の角板下先端付近の水平断面図である。
【図９８】扉板の前後幅中央の縦断面から、郵便受けに取り付けられると前となる部分を視た図である。
【図９９】郵便受けに取り付けられた扉板のきのこ状の物体の頂上と仕切り板上先端の中央の高さのところを水平に切断した図である。
【図１００】扉板が郵便受け本体内にセットされていない状態の郵便受け本体の透明体の上部の高さのところを水平に切断した図である。
【図１０１】郵便受け本体内にセットされた扉板の角板下先端部付近の水平断面図である。
【図１０２】郵便受け本体内にセットされた扉板の透明体上部水平断面図である。
【図１０３】郵便受け本体内にセットされた扉板の、郵便受け内で水平になった底板の中央の部分の高さの水平断面図である。
【図１０４】郵便受け内にセットされた扉板の下先端の下を向いた左右の平面が着く位置と形状を現した図である。
【図１０５】中央上部体を郵便受け本体内に投入することが終り、次のつなぎ板を挿入する前の郵便受け横辺中央の縦断面図である。
【図１０６】つなぎ板の斜視図である。
【図１０７】鍵板の斜視図である。
【図１０８】鍵板空道から挿入されたつなぎ板の最後部が扉板空間の中に来て、そのつなぎ板の最後部を指で押してつなぎ板空道の後ろ先端に指が当たっている郵便受け横辺中央の継断面図である。
【図１０９】底板の上に載った投函物の重量で底板後部の下面角が床に着いている状態の郵便受け内の底板後部の横辺中央とその付近の縦断面図である。
【図１１０】底板の後部下面角が郵便物の重量により、底板の下の床に着いた状態の郵便受け横辺中央の縦断面図である。
【図１１１】郵便受けの施錠を解いた直後の図である。
【図１１２】郵便受けから鍵板を取り出した後、扉板を上げている図である。
【図１１３】磁石が取り付けられていない郵便受け主体部の床に空く四つの空道を上から見た図である。
【図１１４】郵便受け本体主体部の床に取り付けられた磁石の中に在る四つの空道を上から見た図である。
【図１１５】郵便受けを取り付けるための土台となる物体の上面に空く複数の孔の上に、未だ本体に何も取り付けられていない床に上下に貫通する複数の空道が上になるように重ね、そうすることにより新しい孔の上にネジを挿入し、郵便受け本体主体部の上の空間から差し入れた手によってそれらのネジをドライバー等で回して土台と郵便受け本体とを接続しようとしている図である。
【図１１６】コレナニ板が取り付けられた表面板を壁に凭せかけて、裏側が斜め上に向くようにし、すでに表面板の窓の下の凹部の上部から左右に出ている空間に、先端部の左右の端から外へ出ている棒状の物体が入っているシーソー板の後部を持ち上げて、その下にボール状の物体を置いて、そのシーソー板の手を離し、そのボールの上にシーソー板の後部が載った状態を保ったまま、先端部がノコギリ刃状の凹凸になっている棒状の物体の先端部を、シーソー板の先端部の隙間から見える円筒状の物体の左右の穴状の部分の中に、左右それぞれ一本づつ計二本入れ、その二本の棒状の物体を利用して、両横から内側に圧力を加えて前記の二本の棒状の物体をシーソー板の内側にしまい込むことで前記の凹部の左右の中央の狭くなった隙間の部分に前記の棒状の物体の先端が当たることなく凹部の左右の下部の広くなった最終的にシーソー板の棒状の物体が停まるところの中央にシーソー板の先端部を移動させようとしている図である。
【符号の説明】
【０１３７】１、へ先
２  表面板
３、レール板
４  郵便受け本体前面
５、底板
６、押板
７、表面板の窓
８  表面板の窓の下の凹部
９  シーソー板
１０  天井から伸びる物体
１１  表面板受け止め板
１２  郵便受け本体前面の窓
１３  床
１４  内壁
１５  円筒状の物体
１６  ヨート
１７  郵便物脱落防止板
１８  重量調整板
１９  きのこ状の物体
２０  きのこ状の物体の頂上の台
２１  糸状の物質
２２、ローソク板
２３  谷
２４  きのこ状の物体の頂上の台の前部上面に取り付けられた輪
２５  扉板
２６  透明体
２７  仕切り板
２８  鍵板
２９  表面板の窓の下の凹部の空間上部
３０  円筒状の物体の左右の端の周囲に空く穴
３１  内壁の孔
３２  円筒状の物体両端の棒状の物体
３３  片面だけを持つ円筒状の物体
３４  両面を持つ円筒状の物体
３５  両面を持つ円筒状の物体の内側の面
３６  両面を持つ円筒状の物体の内側の面に空いた穴
３７  片面を持つ円筒状の物体の長い棒状の物体
３８  円筒状の物体の外側表面
３９  パイプ状の管
４０  郵便受け本体主体部
４１  先端がノコギリ刃状の凹凸を持つ細長い棒状の物体
４２  コレナニ板
４３  コレナニ板の裏面
４４  コレナニ板の孔
４５  シーソー板の先端
４６  Ｓ字型器具
４７  ローラ状の物体群の中のローラ状の物体
４８  表面板の窓の下の凹部の左右の隙間
４９  郵便物はみ出し防止板
５０  シーソー板に空く長方形の孔
５１  円筒磁石棒
５２  投入口体
５３  投入口体の窓状の下の縦面
５４  表面板の窓の下の縦面
５５  表面板の窓の上の縦面
５６  下押え板
５７  表面板の窓の上下の縦面に在るネジの溝の入った孔
５８  投入口体の窓の上の縦面
５９  投入口体の丸く切り取られた部分
６０  上押え板
６１  郵便受け本体前面の窓の左右の枠の上の空道
６２  角板
６３  角隠し
６４  表面板上面左右の凹部
６５  投入口縦幅調整板
６６  カバー
６７  郵便受け本体の屋根
６８  シーソー板の後面の穴状の部分
６９  円柱状の物体
７０  前のぶ厚い物体
７１  郵便受け本体前部の屋根
７２  郵便受け本体主体部の壁の上面
７３  前のぶ厚い物体の前外側はみ出し板
７４  中央体
７５  前のぶ厚い物体の後ろ外側はみ出し板
７６  前のぶ厚い物体の屋根
７７  前のぶ厚い物体の前外側はみ出し板が入る空間
７８  前のぶ厚い物体の下先端
７９  後ろぶ厚い物体
８０  四角い板を土台とするローラ状の物体
８１  扉板空間
８２  後ろ外側はみ出し板
８３  勾配を持つ面
８４  Ｔ字状の天井から伸びる物体の磁石の無い面
８５  勾配を持つ面の後ろ端
８６  内壁の凹部の上後ろ端
８７  天井から伸びる物体のローラ状の物体
８８  天井から伸びる物体本体
８９  まえかけ板
９０  略Ｅ字状の部品
９１  天井から伸びる物体の下先端付近の左右の面に有る孔
９２  中央上部体
９３  壁上面外側勾配部下
９４  内壁の凹部
９５  郵便受け本体壁上面の外側勾配部下の内側の水平の平面
９６  天井から伸びる物体を挟む空間の天井
９７  内壁の凹部の天井部
９８  ローラ状の物体群
９９  内壁の凹部の上部
１００  内壁の凹部の中部
１０１  内壁の凹部の下部
１０２  前のぶ厚い物体のつなぎ板空道
１０３  中央上部体のつなぎ板空道
１０４  後ろぶ厚い物体のつなぎ板空道
１０５  つなぎ板
１０６  つなぎ板空間
１０７  表面板の窓の下の凹部の空間下部
１０８  鍵板空道
１０９  扉板空間前のつなぎ板空道
１１０  底板上面の長方形の孔
１１１  外側勾配部上
１１２  郵便受け本体外側の孔
１１３  つらら板
１１４  透明体とＴの字をつくる板状の部分
１１５  扉板の凹部の前の下を向いた面
１１６  郵便受け本体の谷の底の平面
１１７  扉板の鍵板空道
１１８  鍵板空道入口
１１９  床を上下に貫く空道
１２０  土台のネジ穴孔
１２１  テラス
１２２  つなぎ板取り付け穴
１２３  シーソー板本体
１２４  押ボタン
１２５  底板の円筒状の物体を見るための空間
１２６  内壁に入る凹部の上部と中部の境目の平面
１２７  内壁に入る中部と下部の境目の平面
１２８  郵便受け本体主体部後部の屋根
１２９  表面板側面凹部
１３０  郵便受け本体上面最後部凸部
１３１  取っ手
１３２  郵便受け本体上部後面
１３３  レール板の孔
１３４  ローラ状の物体群の中のローラの土台
１３５  Ｌ字型工具
１３６  レール板の凹部
１３７  レール板の後部
１３８  表面板のコレナニ板を取り付ける空道
１３９  表面板の陽差し
１４０  押板先端
１４１  扉板落下防止棒
１４２  扉板の左右隠し部
１４３  扉板左右貫通穴
１４４  スプリング
１４５  表面板側面凹部
１４６  前のぶ厚い物体の後ろ外側はみ出し板が入る空間
１４７  後ろぶ厚い物体の前外側はみ出し板が入る空間
１４８  後ろぶ厚い物体の後ろ外側はみ出し板が入る空間
１４９  前のぶ厚い物体の側面側が前外側はみ出し板となる部分
１５０  前のぶ厚い物体の側面側が後ろ外側はみ出し板となる部分
１５１  後ろぶ厚い物体の側面側が前外側はみ出し板となる部分
１５２  後ろぶ厚い物体の側面側が後ろ外側はみ出し板となる部分
１５３  扉板のＴ字状の空間のＴの字の頭の部分
１５４  扉板のＴ字状の空間のＴの字の縦の部分
１５５  ダミーの糸状の物質
１５６  スプリング隠し板
１５７  後ろぶ厚い物体の前外側はみ出し板
１５８  へ先の左右の面の凹部
１５９  シーソー板の円筒状の物体が見える隙間
１６０  シーソー板の左右の面の凹部
１６１  郵便受け本体側面のレール板を取り付けるための空道
１６２  鍵板空間
【図１】
2010131352.tif 000004
【図２】
2010131352.tif 000005
【図３】
2010131352.tif 000006
【図４】
2010131352.tif 000007
【図５】
2010131352.tif 000008
【図６】
2010131352.tif 000009
【図７】
2010131352.tif 000010
【図８】
2010131352.tif 000011
【図９】
2010131352.tif 000012
【図１０】
2010131352.tif 000013
【図１１】
2010131352.tif 000014
【図１２】
2010131352.tif 000015
【図１３】
2010131352.tif 000016
【図１４】
2010131352.tif 000017
【図１５】
2010131352.tif 000018
【図１６】
2010131352.tif 000019
【図１７】
2010131352.tif 000020
【図１８】
2010131352.tif 000021
【図１９】
2010131352.tif 000022
【図２０】
2010131352.tif 000023
【図２１】
2010131352.tif 000024
【図２２】
2010131352.tif 000025
【図２３】
2010131352.tif 000026
【図２４】
2010131352.tif 000027
【図２５】
2010131352.tif 000028
【図２６】
2010131352.tif 000029
【図２７】
2010131352.tif 000030
【図２８】
2010131352.tif 000031
【図２９】
2010131352.tif 000032
【図３０】
2010131352.tif 000033
【図３１】
2010131352.tif 000034
【図３２】
2010131352.tif 000035
【図３３】
2010131352.tif 000036
【図３４】
2010131352.tif 000037
【図３５】
2010131352.tif 000038
【図３６】
2010131352.tif 000039
【図３７】
2010131352.tif 000040
【図３８】
2010131352.tif 000041
【図３９】
2010131352.tif 000042
【図４０】
2010131352.tif 000043
【図４１】
2010131352.tif 000044
【図４２】
2010131352.tif 000045
【図４３】
2010131352.tif 000046
【図４４】
2010131352.tif 000047
【図４５】
2010131352.tif 000048
【図４６】
2010131352.tif 000049
【図４７】
2010131352.tif 000050
【図４８】
2010131352.tif 000051
【図４９】
2010131352.tif 000052
【図５０】
2010131352.tif 000053
【図５１】
2010131352.tif 000054
【図５２】
2010131352.tif 000055
【図５３】
2010131352.tif 000056
【図５４】
2010131352.tif 000057
【図５５】
2010131352.tif 000058
【図５６】
2010131352.tif 000059
【図５７】
2010131352.tif 000060
【図５８】
2010131352.tif 000061
【図５９】
2010131352.tif 000062
【図６０】
2010131352.tif 000063
【図６１】
2010131352.tif 000064
【図６２】
2010131352.tif 000065
【図６３】
2010131352.tif 000066
【図６４】
2010131352.tif 000067
【図６５】
2010131352.tif 000068
【図６６】
2010131352.tif 000069
【図６７】
2010131352.tif 000070
【図６８】
2010131352.tif 000071
【図６９】
2010131352.tif 000072
【図７０】
2010131352.tif 000073
【図７１】
2010131352.tif 000074
【図７２】
2010131352.tif 000075
【図７３】
2010131352.tif 000076
【図７４】
2010131352.tif 000077
【図７５】
2010131352.tif 000078
【図７６】
2010131352.tif 000079
【図７７】
2010131352.tif 000080
【図７８】
2010131352.tif 000081
【図７９】
2010131352.tif 000082
【図８０】
2010131352.tif 000083
【図８１】
2010131352.tif 000084
【図８２】
2010131352.tif 000085
【図８３】
2010131352.tif 000086
【図８４】
2010131352.tif 000087
【図８５】
2010131352.tif 000088
【図８６】
2010131352.tif 000089
【図８７】
2010131352.tif 000090
【図８８】
2010131352.tif 000091
【図８９】
2010131352.tif 000092
【図９０】
2010131352.tif 000093
【図９１】
2010131352.tif 000094
【図９２】
2010131352.tif 000095
【図９３】
2010131352.tif 000096
【図９４】
2010131352.tif 000097
【図９５】
2010131352.tif 000098
【図９６】
2010131352.tif 000099
【図９７】
2010131352.tif 000100
【図９８】
2010131352.tif 000101
【図９９】
2010131352.tif 000102
【図１００】
2010131352.tif 000103
【図１０１】
2010131352.tif 000104
【図１０２】
2010131352.tif 000105
【図１０３】
2010131352.tif 000106
【図１０４】
2010131352.tif 000107
【図１０５】
2010131352.tif 000108
【図１０６】
2010131352.tif 000109
【図１０７】
2010131352.tif 000110
【図１０８】
2010131352.tif 000111
【図１０９】
2010131352.tif 000112
【図１１０】
2010131352.tif 000113
【図１１１】
2010131352.tif 000114
【図１１２】
2010131352.tif 000115
【図１１３】
2010131352.tif 000116
【図１１４】
2010131352.tif 000117
【図１１５】
2010131352.tif 000118
【図１１６】
2010131352.tif 000119
【手続補正書】
【提出日】平成21年3月28日(2009.3.28)
【手続補正１】
【補正対象書類名】特許請求の範囲
【補正対象項目名】請求項３
【補正方法】変更
【補正の内容】
【請求項３】
前先端部が、前記郵便受け本体前側に位置する物体の有する窓の上枠と下枠に挟まれる形で取り付けられているその取り付けられた状態を前記の郵便受け本体前側に位置する物体の窓の内側、即ちその物体の後方から見ると上辺の無い三辺の厚さがハガキ程のコ字に見える略コ字状の物体であり、その郵便受け本体前側に位置する物体に取り付けられた、前記郵便受け本体前側に位置する物体の窓より薄紙一枚の厚さだけ長い横幅の長さを持つ郵便受け本体前面の有する窓の内側に薄紙一枚の隙間を空けて入り込むことが出来る横の辺の長さを持つその硬質素材でつくられた略コ字状の物体の下の面は、郵便受け本体前側に位置する物体の後ろ奥側に出ると同時に奥へ向って下に下がった勾配になっており、その略コ字状の物体の奥先端は、郵便受け本体前面の前に、その前面と薄紙一枚の隙間を空けて存在する郵便受け本体前側に位置する物体に、前記略コ字状の物体が取り付けられ、その略コ字状の物体の三面が、前記郵便受け本体前面の有する窓の中に入っている状態でその前面の奥側に必ず少しでも出ており、その略コ字状の物体の最も下の位置でもあるその略コ字状の物体の奥に向って下がった勾配を持つ下面の奥先端の高さは、前記の投入口の縦幅の長さが最も長くなる時にくる前記シーソー運動を行う板の後部の上面が最も高くなる位置に来た時に、その上面に当たらない高さになっており、そして、前記郵便受け本体前面の有する窓の左右の縦の辺の最上部からは、その前面と直角に即ち郵便受け本体の左右の壁と平行に内外に貫通する上下に長く前後に短い細長い空道がま上に伸び、その空道の中に前記略コ字状の物体の左右の辺の何処かが自身の上下運動に必要な最少限のスペースを設けて常に入っており、前記の投入口が無い普段の状態、即ち前記略コ字状の物体が最も高い位置に在る状態の時でも、前記略コ字状の物体の左右の縦の二辺の上先端と、前記細長い空間の上先端との間には必ず隙間が存在することで、郵便受け本体前側に位置する物体が行う上下運動をスムースにすることを可能にし、前記略コ字状の物体の郵便受け本体前側に位置する物体から後方に出た左右の二つの面と下面の三面で郵便受け本体前側に位置する物体と郵便受け本体前面との間に空く上側以外の隙間を塞ぐことで投入された郵便物等が前記の隙間から落ちることを防ぐ役目も持つ前記略コ字状の物体を有することを特徴とする請求項２記載の郵便受け箱。
【手続補正２】
【補正対象書類名】特許請求の範囲
【補正対象項目名】請求項６
【補正方法】変更
【補正の内容】
【請求項６】
前記のシーソー運動を行う板の前先端部付近と最後部以外の左右の外を向いた面の全ての両面は、前後に細長く左右の郵便受け本体内壁と対面し、その内壁と平行になっている奥の面を持つ一つの凹部になっており、その凹部の奥の面には隙間無く磁石が取り付けられており、その凹部の中には前記の凹部に取り付けられた磁石と反発する磁石を周囲に取り付けられた円筒が在り、その円筒の前後は前記シーソー運動を行う板の凹部がはじまる最前部付近と最後部の左右の部分と殆ど隙間の無い状態になっており、その凹部の左右の内壁側の部分は、シーソー運動を行う板の上辺と下辺を最短距離で結んだ中央の部分を中心にしたその凹部の最も狭い上下幅の隙間になっており、その隙間の何処を計っても同じになる上下幅の長さは、前記の円筒の外径よりも短くしていることで、前記の凹部の奥の面の磁石と前記の円筒の周囲の磁石によって生み出される反発力により、前記の円筒が外へ押し出されてその円筒が外側の内壁に密着することでシーソー運動を行う板と内壁とに空く薄紙一枚ほどの隙間を無くすことが出来、そして、決してその二つの円筒は、シーソー運動を行う板の外へ出ることは出来ないシステムを持つことを特徴とする請求項５記載の郵便受け箱。
【手続補正３】
【補正対象書類名】特許請求の範囲
【補正対象項目名】請求項９
【補正方法】変更
【補正の内容】
【請求項９】
郵便受け本体を横から見た場合、前記のＴの字の形をしているＴ字状の物体を前後に挟む二つのぶ厚い物体でつくられた空間のま横の左右の内壁には、その空間の下先端を除けば、その空間の前後の面の両端付近を自身の前後の面とする凹部が在り、その内壁に存在する凹部の下には、その凹部を前後に均等に分けることが出来る凹部の中心線、即ちＴ字状の物体が行う斜め上下運動の中心線を中心にして、その凹部と続く別の凹部がその内壁に存在し、その下になる凹部の奥の面と内壁に入る前記のその上の凹部の奥の面は段差なく一つの平面となって続いており、前記その下の凹部の上先端は、前記のぶ厚い物体の面に取り付けられたローラ状の物体群の下先端のローラの下先端の部分と前記ぶ厚い物体の下先端の間に在り、その前後の幅は、Ｔ字状の物体の下の縦の部分が斜め上下運動を行う必要最少限のスペースを保っており、その上の凹部の前後の幅よりも狭くなっており、その下の凹部の一つ目の重要な役割は、前記二つのぶ厚い物体の下先端から下へはみ出した前記Ｔ字状の物体の下の縦一文字の部分の左右の端を自身の中へに入れて、投入口から入れられたファイバースコープ等で中を見られた場合、Ｔ字状の物体と郵便受け本体の内壁との隙間が全くないように見せることであり、そして、もう一つの重要な役割は、その凹部の下先端の斜め上を向いた面は、投入口が無くなった時に来るＴ字状の物体の最下部のローラの下先端の部分を上に乗せることが出来る高さと角度につくられていることで、前記二つのぶ厚い物体でつくられた大きな空間と小さな空間の境目の平面と同じく投入口が無くなった時点から、それ以上Ｔ字状の物体を下へ下げないようにすることであり、それら二つの重要な役割を持つ内壁に存在する凹部を有することを特徴とする請求項８記載の郵便受け箱。
【手続補正４】
【補正対象書類名】特許請求の範囲
【補正対象項目名】請求項１２
【補正方法】変更
【補正の内容】
【請求項１２】
前記の後部が空中に浮く板状の物体の最後部上面に取り付けられているヨートは一つではなく数個横一列に規則正しく等間隔で並べられて取り付けられており、前記の糸状の物質は取り付けるヨートを自由に替えることが出来、また、糸状の物質には前記の糸状の物質とは別に二種類のダミーの糸状の物質が有り、その内の一つは、前記の後部が空中に浮く板状の物体の最後部上面のヨートに取り付けられるダミーでない本来の糸状の物質よりも糸状の部分が短いと云うことを除けば全く同じ形状であり、そのダミーの糸状の物質を前記の後部が空中に浮く板状の物体の最後部上面に横一列に並んでいるそれぞれのヨートのま後ろの線のきのこ状の物体の頂上の台の前部下面に取り付けられている硬い素材でつくられた下を向いた輪の内の一つに、そのダミーの糸状の物質の先端の輪の部分をきのこ状の物体の頂上の台の上からまわして取り付けると、その糸状の物質のもう一方の先端の物体は、前記の後部が空中に浮く板状の物体の最後部下角が下がって床に着き、その後部が空中に浮く板状の物体のヨートに取り付けられている糸状の物質の外側先端の物体が来る高さと同じ高さに来るように長さが調整されており、そして、もう一つのダミーの糸状の物質は前記のダミーの糸状の物質よりも全体は長く、他の糸状の物質と同じように外側先端には他の糸状の物質と同じ物体が取り付けられており、そのダミーの糸状の物質の、物体が取り付けられていないもう片方の先端の輪の部分を、前記と同じ方法できのこ状の物体、の頂上の台の前部下面に取り付けられている下を向いた輪の内の一つに、はめ込むように取り付けると、そのダミーの糸状の物質の外側先端の物体の下先端は、きのこ状の物体の外側下の床にもう少しで着くと云う位置にくるように長さが調整されており、前記後部が空中に浮く板状の物体の後部が下がり、その板状の物体の下角が床に着いたとしても、常に前記長い方のダミーの糸状の物質の外側先端の物体の高さは変わらず、外から見る者には透明の板状の物体を通してそのダミーの糸状の物質の糸状の部分だけが見えるようになっており、そして、本来の糸状の物質を前記の後部が空中に浮く物体のヨートに取り付ける場合は、ダミーの糸状の物質は、その本来の糸状の物質が取り付けられているヨートのま後ろのきのこ状の物体の頂上の台の前部下面の輪に取り付けてはならず、一つの例として本来の糸状の物質の一つを前記の後部が空中に浮く板状の物体の最後部上面に取り付けられている全てのヨートの内の一つのヨートに取り付け、その他のそれぞれのヨートのま後ろの位置に在る前記のきのこ状の物体の頂上の台の前部下面の全ての輪に一つづつ二種類のダミーの糸状の物質のいづれかを種類が片寄らないように取り付けた場合は、本来の糸状の物質を取り付けている前記の後部が空中に浮く板状の物体のヨートの位置を知る者だけが、大まかではあるが郵便受け内の前記の後部が空中に浮く板状の物体の上に乗る郵便物等の重量を、郵便受けを開けてその内部を見なくても外から前記透明の板状の物体を通して前記本来の糸状の物質の見える部分を確認することである程度知ることが出来るシステムを持つことを特徴とする請求項１１記載の郵便受け箱。
【手続補正５】
【補正対象書類名】特許請求の範囲
【補正対象項目名】請求項１３
【補正方法】変更
【補正の内容】
【請求項１３】
前記の後部が空中に浮く板状の物体の最後部上面横一列に並んだヨートの投入口側には、その後部が空中に浮く板状の物体の上面と垂直にその後部が空中に浮く板状の物体の左右の端とわずかな隙間を空けて厚さ２ミリ程の横長長方形の板状の物体が前記の数個のヨートが横に並ぶ線と平行に直立する形で取り付けられており、その厚さ２ミリ等の板状の物体に、均一、または数段階の重量に分かれた、長い辺の長さが前記の後部が空中に浮く板状の物体の横の長さよりも短く前記の厚さ２ミリ等の板状の物体の長い方の辺よりも長い、中央に細長い孔を有する板状の物体を、その板状の物体が有する孔の中を前記厚さ２ミリ等の板状の物体に下から上へ貫通させる形で厚さ２ミリ等の板状の物体のま上から前記中央に細長い孔を有する板状の物体をま下に下ろす方法で前記後部が空中に浮く板状の物体の上面に、前記中央に細長い孔を有する板状の物体を一枚以上乗せることにより、その後部が空中に浮く板状の物体の後部の重量を増やし、その後部が空中に浮く板状の物体の後部が下がりはじめるその後部が空中に浮く板状の物体の上に乗る郵便物の重量を、その後部が空中に浮く板状の物体の後部上面に何も乗せていない状態よりも軽めに調整出来るシステムを持つことを特徴とする請求項１２記載の郵便受け箱。
【手続補正６】
【補正対象書類名】明細書
【補正対象項目名】００１２
【補正方法】変更
【補正の内容】
【００１２】図６は郵便物を投入する瞬間の図である。表面板２の最上部の押板６を手で押し下げることにより、表面板下先端が郵便受け本体前面４から前へせり出した表面板受け止め板１１に当たり表面板２はそれ以上下へは行くことが出来ない状態となり、以後板状の部分に有る四角い空道を窓と呼ぶが、その表面板２の窓７と郵便受け本体前面４の窓１２が前後に並んで出来た投入口となった空道から押板６を押し下げていないもう片方の手を使って郵便物を入れる瞬間であり、その時のシーソー板９の状態はシーソー板が行うシーソー運動の支点となる郵便受け本体前面の窓１２の下枠と表面板の窓の下の凹部８の中のシーソー板９の前先端の部分は水平に近い状態になっているのでシーソー板９は水平か水平に近い状態になっており、天井から伸びる物体１０の下先端の部分はシーソー板９の上に密着している。
【手続補正７】
【補正対象書類名】明細書
【補正対象項目名】００１６
【補正方法】変更
【補正の内容】
【００１６】  図１１０では郵便物二枚が底板５の上に乗ただけで底板後部下角は床に着いているが図１８は底板５の最後部付近の底板中央の縦断面図であり、底板５の最後部上面に取り付けられたヨート１６の前の郵便物脱落防止板１７は、底板前部の郵便物脱落防止板と同じように底板上面に空く細長い孔１１０の中に周囲全体が殆ど隙間を前記の細長い孔１１０との間につくらずに入り込むことが出来る形状とサイズの板状の物体であり、それら郵便物脱落防止板１７を底板上面に取り付ける方法は、前記底板上面に空く細長い孔１１０の中に前記郵便物脱落防止板１７を挿入するだけである。自身の持つ孔の中に底板後部上面の郵便物脱落防止板を入れる形で底板後部上面に乗っている重量調整板１８は均一または数段階の重量に分かれており、その重量調整板は、底板後部を浮かす底板下面の磁石とその下の床の磁石によって生み出される反発力が強い場合に主に用いられ、その重量調整板１８を前記のように一枚、または数板底板の上に乗せることにより底板５の後部が下がりはじめる底板の上に乗る郵便物の重量を調整することが出来、底板最後部上面のそれぞれのヨートのま後ろ斜め上のきのこ状の物体の頂上の台２０の上に乗る複数の糸状の物質の中に前記底板後部上面のヨート１６とつながる本来の糸状の物質が在る場合は、前記底板が水平、または水平に近い状態の時は前記本来の糸状の物質の外側先端のローソク板２２の下先端は図５の如く谷２３の底に着くか着かないかの状態の位置に在る。
【手続補正８】
【補正対象書類名】明細書
【補正対象項目名】００５１
【補正方法】変更
【補正の内容】
【００５１】  前記の投入口体５２を表面板に取り付ける方法は、前記の〔００４１〕の場合と同じく、壁等に表面板を壁側に表、こちら側に裏が向くように凭せかけて、表面板の裏側から投入口体５２の窓状になった部分を表面板の窓の中に入れて少し押すと、投入口体５２の窓状の部分の下の縦面５３と前記の表面板の窓の下の縦面５４とが前後に密着すると供に、表面板の窓の上の縦面５５と投入口体の窓状の部分の上の縦面５８が前後に密着し、そうなった状態から投入口、体を表面板の上部に向って動かそうとすると投入口体の窓状の部分の上の枠から水平に前へ出ている薄い板状の物体の上面と表面板の窓の上枠の下を向いた水平の面が下上に密着する状態となる。（図３４、図３８図３９、図４２、図４７、図５０参照）。
【手続補正９】
【補正対象書類名】明細書
【補正対象項目名】００５２
【補正方法】変更
【補正の内容】
【００５２】  その状態となると、表面板の窓の下の縦面５４のネジの溝の入った孔５７と、投入口体の窓状の部分の下の縦面５３の丸く切り取られた部分５９、そして表面板の窓の上の縦面５５のネジの溝の入った孔５７と投入口体の窓状の部分の上の縦面５８の丸く切り取られた部分５９が前後に重なってそれぞれ一つの穴状の孔となっている。（図３４、図３９、図４２、図４６、図４６、図４９、図５０参照）。
【手続補正１０】
【補正対象書類名】明細書
【補正対象項目名】００９９
【補正方法】変更
【補正の内容】
【００９９】  その内壁に存在する凹部は三段階に分かれており、前記中央上部体９２の下面の高さから主に二つのぶ厚い物体でつくられた大きな空間と小さな空間の境目、即ちＴ字状の物体の上一文字の下の面が密着してそれ以上下へ行くことが出来ない平面より上の空間の左右の部分を上部９９、そして、その境目の平面の左右の部分から下の凹部の幅がさらに挟くなる部分までを中部１００、そして、それより下の凹部を下部１０１とした場合、前記上部の凹部と前記中部の凹部、そして前記下部の凹部の上部、の一部分が、前記主に二つのぶ厚い物体でつくられた空間の左右両端に在り、上部の一部分以外が前記主に二つのぶ厚い物体によってつくられた、空間から下の内壁に在る前記凹部の下部１０１は、投入口が存在する間は投入口と郵便受け底との間に隙間をつくらないシステムを保つためには欠かせない存在となっている。（図７１参照）。
【手続補正１１】
【補正対象書類名】明細書
【補正対象項目名】０１００
【補正方法】変更
【補正の内容】
【０１００】  その内壁に在る凹部の下部１０１の役目は、前記主に二つのぶ厚い物体によってつくられる空間から下へ出ているローラ状の物体も含めた天井から伸びる物体の左右の端の部分を自身の中に常に入れ、投入口から中を見た者には天井から伸びる物体と左右の内壁との間には一切隙間が無いように見せ、そして投入口が無くなった時の、シーソー板の上に載るローラ状の物体の左右の端の下先端の部分を、自身の下先端の、前記天井から伸びる物体が行う斜め上下運動の中心線と直角に存在する平面上に載せることで、シーソー板後部が投入口が無くなった時の高さよりも下がったとしても前記のローラ状の物体は、前記凹部の下部の下先端の高さから下へは行くことが出来ないようにしている。（図５、図８、図１０、図８４、図１１０参照）。
【手続補正１２】
【補正対象書類名】明細書
【補正対象項目名】図面の簡単な説明
【補正方法】変更
【補正の内容】
【図面の簡単な説明】
【０１３６】
【図１】
本発明の郵便受け箱をその郵便受け箱の正面左斜め上から視た図である。
【図２】
郵便受け本体主体部を正面から向って右側外から視た図である。
【図３】
施錠された郵便受け箱をま後ろから視た図である。
【図４】
郵便受け箱の組み立ての段階でのシーソー板本体の中に未だ完全に入っていない円筒磁石棒の後ろ端を円柱状の物体を使って押している図である。
【図５】
郵便受け箱の普段の状態での、その郵便受け箱の横辺中央断面図である。
【図６】
郵便物を投入しようとしている瞬間の郵便受け横辺中央縦断面図である。
【図７】
投入口の縦幅最大時の投入口から差し入れられたファイバースコープ等で奥を見た図である。
【図８】
投入口が無くなった瞬間の郵便受け横辺中央縦断面図である。
【図９】
扉板を上に上げ、その上がった扉板から手を離してもその扉板が落ちないように扉板の扉板左右貫通穴に扉板落ち止め棒を挿入しようとしている図である。
【図１０】
郵便受け内の郵便物を取り出そうとしている郵便受け横辺中央縦断面図である。
【図１１】
郵便受け本体のきのこ状の物体の頂上の台の前部下面にある堅い素材でできた輪に、ダミーの糸状の物質を取り付けようとしている郵便受け横辺中央縦断面図である。
【図１２】
底板とシーソー板先端部の中の空道に在る円筒状の物体の左右の両面から出ている棒状の物体を内側に入れる時等に用いる先端部がノコギリ刃状の凹凸の棒状の物体である。
【図１３】
〔図１２〕の棒状の物体を使って底板を持ち上げている図である。
【図１４】
〔図１３〕のように底板の先端部の隙間の中に在る円筒状の物体の穴の中に棒状の物体を二本入れて内側に圧力を加えて底板先端部の左右の端から出ている二本の棒状の物体を底板の中にしまい込み、その状態を保ったまま底板先端部を下げてゆき、その底板の先端部が左右の内壁の同じ位置に空く孔の中央に来た時に内側にかけている圧力をゆるめて底板の先端部の左右の端から二本の棒状の物体を突出させ、前記の孔の中に入れようと作業を行っている状態の郵便受け本体主体部の横辺中央縦断面図である。
【図１５】
底板の裏面の図である。
【図１６】
円筒状の物体と二つの郵便物脱落防止板が取り付けられた底板の図である。
【図１７】
郵便受け内にセットされた郵便物脱落防止板を取り除いた郵便受け正面から底板後部の右角付近を縦に、透明体上部を水平に断面した図である。
【図１８】
郵便受け本体内にセットされた郵便物脱落防止板、その周囲に重量調整板、そして糸状の物質が取り付けられた状態の底板横辺中央とその付近の縦断面図である。
【図１９】
コレナニ板がセットされるまえの表面板正面図である。
【図２０】
コレナニ板が取り付けられるまえの表面板を裏側から見た図である。
【図２１】
コレナニ板を裏側から見た図である。
【図２２】
コレナニ板を表面板に取り付けようとしているコレナニ板と表面板の接続面中央縦断面図である。
【図２３】
コレナニ板が取り付けられた表面板を表面板の斜め左前から視た図である。
【図２４】
郵便受け内のシーソー板が水平になった状態の時の、そのシーソー板の縦幅中央を水平にした状態とその付近を現した図である。
【図２５】
郵便受け箱を正面から見て右側面外に位置するレール板の凹部に入る表面板側面凸部を省いたレール板の凹部奥の縦面中央のその縦面と直角に縦に切断した部分からのレール板の後部の図である。
【図２６】
郵便受け箱の組み立ての段階でのシーソー板本体に円筒磁石棒を挿入しようとしている図である。
【図２７】
未だ施錠をしていないが郵便受け本体上にカバーを取り付け、後、扉板を挿入した後の郵便受けを上から見た図である。
【図２８】
郵便受け箱の組み立ての段階でのシーソー板本体内に、指で押すことが出来ない位置まで円筒磁石棒を指で押している図である。
【図２９】
円筒磁石棒がセットされた郵便受け内の水平の状態に近いシーソー板の中央付近を横に切断した図である。
【図３０】
円筒磁石棒が入っている郵便受け内の水平か水平に近い状態のシーソー板を後ろから視た図である。
【図３１】
円筒状の物体を横から見た図である。
【図３２】
円筒状の物体の中心の縦切り断面図である。
【図３３】
郵便受け内の水平か水平に近いシーソー板の内壁と接触する部分の拡大断面図である。
【図３４】
投入口体の後面斜視図である。
【図３５】
投入口体の横辺中央縦断面図である。
【図３６】
上押え板斜視図である。
【図３７】
下押え板斜視図である。
【図３８】
表面板の窓とその上下の横辺中央縦断面図である。
【図３９】
投入口体の外観斜視図である
【図４０】
上押え板の横辺中央縦断面図である。
【図４１】
下押え板の横辺中央縦断面図である。
【図４２】
投入口体が表面板に取り付けられる状態を現した投入口体と表面板の窓とその付近の横辺中央縦断面図である。
【図４３】
円筒状の物体と郵便物はみ出し防止板、そして円筒磁石棒が取り付けられたシーソー板を斜め上から視た図である。
【図４４】
表面板の窓の下の凹部を表面板の裏側から見た図である。
【図４５】
表面板の窓の下の凹部の左右の枠から外へ向って広がる隙間の前後の幅の中央を表面板の前面と平行に切断した面の図である。
【図４６】
表面板の窓の下の凹部の上部から左右に広がる隙間の中にシーソー板の先端部左右の端から外へ出ている棒状の物体を挿入し、前へ押している図である。
【図４７】
〔図４６〕の凹部の下部の外から見えない状態の左右に伸びる空間の中に、シーソー板の棒状の物体が完全に入り、シーソー板本体が表面板に取り付けられている図である。
【図４８】
Ｓ字型器具の図である。
【図４９】
シーソー板先端部の中の円筒状の物体の左右の穴にＳ字型器具のＳ字の金具が片方づつ取り付けられ、円筒状の物体の両面から外へ出た棒状の物体が中へ入り込んだ状態の状態のシーソー板を表面板の窓の下の凹部の上部から左右へ伸びる空間の中へ入れ、後、下へ下ろしている図である。
【図５０】
投入口体の窓状の部分を表面板の裏側から表面板の窓の上下の板状の部分に当て、その状態を保つために投入口体後部に指を当てて表面板方向に力を加えている図である。
【図５１】
表面板の窓の下の縦の部分、その裏側に投入口体の窓状の下の薄い板状の部分、そして、その後ろに下押え板がくるように並び重ねて、ドライバーを利用して表面板と投入口体と下押え板を接続している図である。
【図５２】
コレナニ板、シーソー板本体、投入口体が表面板を斜め前から見た図である。
【図５３】
郵便受け本体正面図である。
【図５４】
〔図５２〕の表面板を郵便受け本体前面の正面から近付けて表面板裏側と郵便受け本体前面を密着させようとしている図である。
【図５５】
へ先の根元の左右の下面に在る凹部に取り付けられているヨートと、表面板の上面の左右の面の凹部に取り付けられているヨートをペンチ等を用いてスプリングでつなごうとしている図である。
【図５６】
レール板を郵便受け本体側面に取り付けようとしている図である。
【図５７】
郵便受け本体側面に取り付けられたレール板から出ているスプリング隠し板が、郵便受けの平常時に表面板の側面の凹部に入っている様子を現した図である。
【図５８】
前のぶ厚い物体の郵便受け本体主体部の壁と密着する部分を水平に切断し、その切断面から下の部分を斜め上後ろから視た図である。
【図５９】
後ろぶ厚い物体の郵便受け主体部の壁の上面と密着する部分を水平に切断、し、その切断面から下の部分を斜め上前から視た図である。
【図６０】
中央上部体の外観斜視図である。
【図６１】
表面板受け止め板空道中心部を郵便受けの縦の辺と平行に切断した図である。
【図６２】
投入口体縦幅調整板の薄い板の外観斜視図である。
【図６３】
投入口体縦幅調整板の厚い板の外観斜視図である。
【図６４】
投入口体縦幅調整板の縦辺中央横断面図である。
【図６５】
投入口体縦幅調整板を表面板受け止め板に取り付けようとしている図である。
【図６６】
前のぶ厚い物体の後面下部に取り付けられるローラ状の物体群の内の一つのローラ状の物体の外観斜視図である。
【図６７】
前のぶ厚い物体の後方下部から出ているローラ状の物体群の中の三個のローラの先端に天井から伸びる物体の斜め上を向いた面の一部が当たっている図である。
【図６８】
前のぶ厚い物体の後方下部の面に取り付けられたローラ状の物体の中心部断面図。
【図６９】
前のぶ厚い物体の後方下部に取り付けられたローラ状の物体群を正面から見た図
【図７０】
郵便受け本体後面のつらら板と透明体の見える部分の外観拡大図。
【図７１】
コレナニ板、シーソー板、投入口体が取り付けられた表面板が郵便受け本体前面と密着し、レール板によって接続され、郵便受け本体のへ先より伸びたスプリングによって自身を上へ上げられ、自身の一部でもある角板が郵便受け本体の角かくしの中に入っている状態の郵便受けの組み立て段階の郵便受け本体横辺中央縦断面図である。
【図７２】
前のぶ厚い物体を郵便受け本体内に挿入しようとしている瞬間の郵便受け本体主体部のつなぎ板空間中央の縦断面図である。
【図７３】
前のぶ厚い物体の前外側はみ出し板を、郵便受け本体主体部上から、郵便受け本体主体部の、その前外側はみ出し板が入る空間に入れようとしている郵便受本体横切断面図である。
【図７４】
前のぶ厚い物体投入まえの郵便受けの組み立て段階の状態を上から見た図。
【図７５】
組み立て段階の前のぶ厚い物体投入後の郵便受けを上から見た図である。
【図７６】
天井から伸びる物体投入後の組み立て段階の郵便受けを上から見た図である。
【図７７】
後ろぶ厚い物体投入後の組み立て段階の郵便受けを上から見た図である。
【図７８】
中央上部体投入後の組み立て段階の郵便受け箱。
【図７９】
天井から伸びる物体の外観斜視図である。
【図８０】
天井から伸びる物体の中心部横断面図である。
【図８１】
略Ｅ字状の部品のＥの字の下の横線の部分が入り込んだローラ状の物体の外観斜視図。
【図８３】
郵便受けに取り付けられた場合、後ろ側の面となる天井から伸びる物体の面の外観図である。
【図８４】
内壁に入る凹部の下先端の上に載る天井から伸びる物体のローラ状の物体の下先端部付近を中心とする天井から伸びる物体の前後の幅の中央の縦断面図である。
【図８５】
天井から伸びる物体の下先端部のローラ状の物体と、天井から伸びる物体の側面下先端部とまえかけ板の拡大図である。
【図８６】
郵便受け本体上から前のぶ厚い物体を投入しようとしている組み立て段階の郵便受け横辺中央縦断面図である。
【図８７】
前のぶ厚い物体投入後の組み立て段階の郵便受けの横辺中央断面図である。
【図８８】
後ろぶ厚い物体投入完了後の郵便受けの組み立て段階の郵便受け横辺中央縦断面図である。
【図８９】
郵便受け本体上から天井から伸びる物体を、すでに郵便受けにセットされている前のぶ厚い物体と後ろぶ厚い物体の間から糸状の物質を用いて郵便受け内に入れようとしている状態の郵便受け横辺中央縦断面図である。
【図９０】
郵便受け本体主体部上面の中のつなぎ板空道の中に在る、現在は後部先端がそのつなぎ板空道の後面と同じ縦の線上に在るつなぎ板をより深く中へ入れるために鍵板先端でそのつなぎ板の後ろ先端を前へ押すわけであるが、その方法をとるために、鍵板空道入口から鍵板を入れ、その鍵板の先端が扉板空間に出た時に郵便受け本体後部の空間から入れた手を扉板空間まで進入させて鍵板下面に指を当て鍵板先端を前記のつなぎ板空道入口まで導こうとしている郵便受け横辺中央縦断面図である。
【図９１】
つなぎ板先端が郵便受け本体前部のつなぎ板空間の前先端部まで到達し、つなぎ板後部に空く穴状の部分が、上下に二分されているつなぎ板取り付け穴の中央に来て上下に長い孔となった部分に入るネジをＬ字型工具を利用して郵便受け後ろに空く空間から入れた手により回しながら取り付けている図である。
【図９２】
完全に組み立てられた郵便受けの上部の最後部の鍵板空道入口から鍵板を挿入し、その先端が鍵板空道の一部でもある扉板の鍵板空道の中に入っているがこの状態は解錠された状態から施錠をするために鍵板の先端を、扉板の前のつなぎ板の後ろ端がつなぎ板空道に入ったために現在は鍵板空間となっているつなぎ板の後ろ端の後ろに空く空間に入れ、扉板を上に上げようとしても上げることができない状態にしようとしている郵便受け横辺中央の縦断面図である。
【図９３】
郵便受け上部屋根の上にカバーが取り付けられ扉板を投入するまえの状態を上から見た図。
【図９４】
郵便受けに取り付けられると後面となる扉板の面を外から視た図である。
【図９５】
扉板の前後幅中央の縦切断面から、扉板が郵便受けに取り付けられると後ろ方向となる部分を視た図である。
【図９６】
扉板横辺中央の縦断面図である。
【図９７】
扉板のつらら板下先端付近の水平断面図である。
【図９８】
扉板の前後幅中央の縦断面から、郵便受けに取り付けられると前となる部分を視た図。
【図９９】
扉板が取り付けられた郵便受けのきのこ状の物体の頂上と仕切り板上先端の中央の高さのところを水平に切断した図である。
【図１００】
扉板か郵便受け本体内にセットされていない状態の郵便受け本体の透明体の上部の高さのところを水平に切断した図である。
【図１０１】
郵便受け本体内にセットされた扉板のつらら板下先端部付近の水平断面図である。
【図１０２】
郵便受け本体内にセットされた扉板と透明体上部、そしてその付近の水平断面図である。
【図１０３】
郵便受け内にセットされている扉板とその付近も含めた郵便受け内の水平の状態になった底板の下面すぐ下のその下面とすれすれの高さのところを水平に切断した面を上から視た図である。
【図１０４】
郵便受け内にセットされた扉板の下先端の下を向いた下の床に着く左右の部分と形状を現した図である。
【図１０５】
中央上部体を郵便受け本体内に投入することが終り、次のつなぎ板を挿入する前の郵便受け横辺中央の縦断面図である。
【図１０６】
つなぎ板の外観斜視図である。
【図１０７】
鍵板の外観斜視図である。
【図１０８】
鍵板空道から挿入されたつなぎ板の最後部が扉板空間の中に来て、そのつなぎ板の最後部を指で押してつなぎ板空道の後ろ先端に指が当たっている郵便受け横辺中央の縦断面図である。
【図１０９】
底板の上に載った投函物の重量で底板後部の下面角が床に着いている状態の郵便受け内の底板後部の横辺中央とその付近の縦断面図である。
【図１１０】
底板の後部下面角が郵便物等の重量により、底板の下の床に着いた状態の郵便受け横辺中央の縦断面図である。
【図１１１】
郵便受けの施錠を解いた直後の扉板上部とその付近の郵便受け横辺中央縦断面図である。
【図１１２】
郵便受けから鍵板を取り出した後、扉板を上げている状態の郵便受け横辺中央縦断面図である。
【図１１３】
磁石が取り付けられていない郵便受け主体部の床に空く四つの空道を上から視た図である。
【図１１４】
郵便受け本体主体部の床に取り付けられた磁石群の中に在る四つの空道を上から見た図である。
【図１１５】
郵便受けを取り付けるための土台となる物体の上面に空く複数の孔の上に、未だ郵便受け本体に何も取り付けられていない床に上下に貫通する複数の空道が上になるように重ね、そうすることによりできた新しい孔の上にネジを挿入し郵便受け本体主体部の上の空間から差し入れた手によってそれらのネジをドライバー等で回して土台と郵便受け本体を接続しようとしている図である。
【図１１６】
コレナニ板が取り付けられた表面板を壁に凭せかけて裏側が斜め上に向くようにし、すでに、表面板の窓の下の凹部の上部から左右に出ている空間に、左右の端から外へ出ている棒状の物体の先端部が入っているシーソー板の後部を持ち上げて、そのシーソー板の後部の下にボール状の物体を置いてシーソー板を持っている手を離し、そのボールの上にシーソー板の後部が載った状態を保ったまま先端部がノコギリ刃状の凹凸になっている棒状の物体の先端部をシーソー板の先端部の隙間から見える円筒状の物体の左右の穴状の部分の中に、左右それぞれ一本づつ計二本入れ、その二本の棒状の物体を利用して両横から内側に圧力を加えて前記二本の棒状の物体をシーソー板の内側にしまい込むことで前記の凹部の左右の中央の高さの左右の幅の挟くなった隙間の部分に前記の棒状の物体の先端が当たることなく、前記凹部の下部の広くなった、最終的にシーソー板の棒状の物体が停まるところへとシーソー板の先端部を下へ移動させようとしている動作を表面板の横から見た図である。
【手続補正１３】
【補正対象書類名】図面
【補正対象項目名】図５
【補正方法】変更
【補正の内容】
【図５】
2010131352.tif 000120
【手続補正１４】
【補正対象書類名】図面
【補正対象項目名】図１８
【補正方法】変更
【補正の内容】
【図１８】
2010131352.tif 000121
【手続補正１５】
【補正対象書類名】図面
【補正対象項目名】図２０
【補正方法】変更
【補正の内容】
【図２０】
2010131352.tif 000122
【手続補正１６】
【補正対象書類名】図面
【補正対象項目名】図３８
【補正方法】変更
【補正の内容】
【図３８】
2010131352.tif 000123
【手続補正１７】
【補正対象書類名】図面
【補正対象項目名】図４２
【補正方法】変更
【補正の内容】
【図４２】
2010131352.tif 000124
【手続補正１８】
【補正対象書類名】図面
【補正対象項目名】図４６
【補正方法】変更
【補正の内容】
【図４６】
2010131352.tif 000125
【手続補正１９】
【補正対象書類名】図面
【補正対象項目名】図４７
【補正方法】変更
【補正の内容】
【図４７】
2010131352.tif 000126
【手続補正２０】
【補正対象書類名】図面
【補正対象項目名】図４９
【補正方法】変更
【補正の内容】
【図４９】
2010131352.tif 000127
【手続補正２１】
【補正対象書類名】図面
【補正対象項目名】図５０
【補正方法】変更
【補正の内容】
【図５０】
2010131352.tif 000128
【手続補正２２】
【補正対象書類名】図面
【補正対象項目名】図６７
【補正方法】変更
【補正の内容】
【図６７】
2010131352.tif 000129
【手続補正２３】
【補正対象書類名】図面
【補正対象項目名】図６８
【補正方法】変更
【補正の内容】
【図６８】
2010131352.tif 000130
【手続補正２４】
【補正対象書類名】図面
【補正対象項目名】図７９
【補正方法】変更
【補正の内容】
【図７９】
2010131352.tif 000131
【手続補正書】
【提出日】平成21年8月11日(2009.8.11)
【手続補正１】
【補正対象書類名】特許請求の範囲
【補正対象項目名】全文
【補正方法】変更
【補正の内容】
【特許請求の範囲】
【請求項１】
略箱状の郵便受け本体上部前側先端１は前へせり出しており、そのせり出した部分１からぶら下がる形で郵便受け本体前面４と薄紙一枚の隙間を空けて存在する略板状の郵便受け本体前側に位置する物体２を押し下げると、前記郵便受け本体前面４の有する窓１２と、上から下りてくる前記郵便受け本体前側に位置する物体２の有する窓７が前後に並んだ時にその二つの窓７、１２によって内外が通じる投入口の役割を果たす空道が生じ、また、郵便受け内には、前先端が、前記の郵便受け本体前側に位置する物体２の有する窓７の下側の前側が奥となる凹部８の中、そして、前部の下面の何処かが常に前記の郵便受け本体前面４の有するシーソー運動の支点の役割をする窓１２の下辺の上に載っている郵便受け本体の左右の内壁１４とは全く隙間が無い状態のシーソー運動を行う板９が在り、そのシーソー運動を行う板９の後部は、郵便受け本体前側に位置する物体２を下げるまえの普段の状態の時は下がっているが、郵便受け本体前側に位置する物体２を押し下げると、そのシーソー運動を行う板９の後部は段々と上がり、前記の二つの窓７、１２が前後に並んで空道が出来はじめると同時に、そのシーソー運動を行う板９の後部上面が、前から見た場合、左右の壁１４とは全く隙間が無いように見える天井から伸びる板状の物体１０の下先端と隙間無く密着し、その二つの物体９、１０は、投入口が在る間は、必ず密着しており、投入口が無くなってから離れる状態をつくり出していることを特微とする郵便受け箱。
【請求項２】
前先端部が前記郵便受け本体前側に位置する物体２のする窓７の上枠と下枠に挟まれる形で取り付けられているその取り付けられた状態を前記の郵便受け本体前側に位置する物体２の窓７の内側、即ち、その物体の後方から見ると上辺の無い三辺の厚さがハガキ等のコ字に見える略コ字状の物体５２であり、その郵便受け本体前側に位置する物体２に取り付けられた、前記郵便受け本体前側に位置する物体の窓７より薄紙一枚の厚さだけ長い横幅の長さを持つ郵便受け本体前面の有する窓１２の内側に薄紙一枚の隙間を空けて入り込むことが、出来る横の辺の長さを持つその硬質素材でつくられた略コ字状の物体５２の下の面は、郵便受け本体前側に位置する物体２の後ろ奥側に出ると同時に奥へ向かって下がった勾配になっており、その略コ字状の物体５２の奥先端は、郵便受け本体前面４の前に、その前面４と薄紙一枚の隙間を空けて存在する郵便受け本体前側に位置する物体２に、前記略コ字状の物体５２が取り付けられ、その略コ字状の物体５２の三面が前記郵便受け本体前面の有する窓１２の中に入っている状態で、その前面の奥側に必ず少しでも出ており、その略コ字状の物体５２の最も下の位置でもあるその略コ字状の物体５２の奥に向かって下がった勾配を持つ下面の奥先端の高さは、前記の投入口の縦幅の長さが最も長くなる時にくる前記シーソー運動を行う板９の後部上面が最も高くなる位置に来た時に、その上面に当たらない高さになっており、そして、前記郵便受け本体前面４の有する窓１２の左右の縦の辺の最上部からは、その前面４と直角に即ち郵便受け本体の左右の壁と平行に内外に貫通する上下に長く前後に短い細長い空道６１がま上に伸び、その空道６１の中に前記略コ字状の物体５２の左右の辺の何処かが自身の上下運動に必要な最少限のスペースを設けて常に入っており、前記の投入口が無い普段の状態、即ち、前記略コ字状の物体５２が最も高い位置に在る状態の時でも、前記略コ字状の物体５２の左右の縦の二辺の上先端と前記細長い空道６１の上先端との間には必ず隙間が存在することで、郵便受け本体前側に位置する物体２が行う上下運動をスムースにすることを可能にし、前記略コ字状の物体５２の郵便受け本体前側に位置する物体２から後方に出た左右の二つの面と下面の三面で郵便受け本体前側に位置する物体２と郵便受け本体前面４との間に空く上側以外の隙間を塞ぐことで投入された郵便物等が前記の隙間から落ちることを防ぐ役目も持つ前記略コ字状の物体５２を有することを特微とする請求項１記載の郵便受け箱。
【請求項３】
前記の郵便受け本体前面４の有する窓１２の左右の縦の辺の最上部からま上に伸びた細長い空道６１は、前記の郵便受け本体前側に位置する物体２を下げると、それを下げた者には必ずその空道６１がま正面から見える状態になるので、その状態になることを防ぐために、前記郵便受け本体前側に位置する物体２の上面奥からは、前後の幅が１．５ｃｍ以内の板状の物体６２がま上に伸びており、その板状の物体６２が、常に前記の空道６１を前から見えないように隠していることを特微とする請求項２記載の郵便受け箱。
【請求項４】
前記郵便受け本体前側に位置する物体２が、前記の郵便受け本体前面４の前に、薄紙一枚の隙間を空けて位置している普段の状態の時に、前記の郵便受け本体前側に位置する物体２を下げると、その物体の下先端は必ず、投入口の縦幅が最長の長さになった時に、郵便受け本体前面４から前へせり出した板状の物体１１に当たって止められ、その物体２はそれ以上下がることが出来ない状態になるが、その郵便受け本体前面４から前へせり出した板状の物体１１の上面の高さを変えることで、投入口の縦幅の最長時の長さを、初めの状態の時よりも短くなるように調整出来ることを可能にしていることを特微とする請求項３記載の郵便受け箱。
【請求項５】
前記のシーソー運動を行う板９の前先端部付近と最後部以外の左右の外を向いた面の全ての両面は、前後に細長く、左右の郵便受け本体内壁１４と対面し、その内壁１４と平行になっている奥の面を持つ一つの凹部１６０になっており、その凹部１６０の奥の面には隙間無く磁石が取り付けられており、その凹部１６０の中には、前記の凹部１６０に取り付けられた磁石と反発する磁石を周囲に取り付けた円筒５１が在り、その円筒５１の前後は、前記シーソー運動を行う板９の凹部１６０がはじまる最前部付近と最後部の左右の部分と殆ど隙間の無い状態になっており、その凹部１６０の左右の内壁１４側の部分は、シーソー運動を行う板９の上辺と下辺を最短距離で結んだ中央の部分を中心にしたその凹部１６０の最も狭い上下幅の隙間になっており、その隙間の何処を計っても同じになる上下幅の長さは、前記の円筒５１の外径よりも短くしていることで、前記凹部１６０の奥の面の磁石と前記円筒５１の周囲の磁石によって生み出される反発力により、前記の円筒５１が外へ押し出されて、その円筒５１が外側の内壁に密着することでシーソー運動を行う板９と内壁１４とに空く薄紙一枚ほどの隙間を無くすことが出来、そして、決してその二つの円筒５１は、シーソー運動を行う板９の外へ出ることは出来ないシステムを持つことを特微とする請求項４記載の郵便受け箱。
【請求項６】
前記の郵便受け本体の前に薄紙一枚の隙間を保って郵便受け本体前側に位置する物体２が存在している状態の郵便受け本体内部を横から見た場合、中央上部のやや前側の位置に郵便受け本体に固定された状態の主に前後の二つのぶ厚い物体７０、７９がつくり出す下の部分が本体前面の近くとなる斜めの角度で上に大きな四角い空間下に縦に細長い空間と二つの空間が続いて存在しており、その二つの空間の境目は、前記斜め縦の角度で存在する上の大きな空間の左右の辺の下先端は、それぞれの内側に９０度に拆れ、そして、その９０度に内側に拆れた左右の辺は、中央に隙間を設けてそれらの辺と９０度の角度に下に拆れ、細長い空間をつくることになり、その細長い空間の下先端、即ち二つのぶ厚い物体７０、７９の下先端は、前記シーソー運動を行う板９の後部が上がり、その後部が最も高い位置となる水平の状態になった時には、シーソー運動を行う板９の上面がもう少しで前記二つのぶ厚い物体７０、７９の下先端に当たると云う位置に在る。そして、その空間の左右の互いに対面する面の中央には、横から見た場合、Ｔの字に見える郵便受け本体とは独立して存在する下の縦の一文字の部分の下先端は前記の細長い空間の下先端からはみ出している状態のＴ字状の物体１０が在り、その上の横一文字の部分は斜め上下運動が出来るスペースを保って大きな空間の中に存在し、下の縦一文字の部分もやはり自身が斜め上下運動が出来るスペースを保って下の細長い空間の中に何処かが入っており、互いに対面するＴ字状の物体１０の面と二つのぶ厚い物体７０、７９の面は普段は平行に位置している位置関係を保っている。Ｔ字状の物体１０の下先端は投入口存在時は前記シーソー運動を行う板９の上面に載っているが、板入口が無くなり、シーソー運動を行う板９の後部が下がると前記Ｔ字状の物体１０の上の一文字の下を向いた面が前記の大きな空間と細長い空間の境目の平面に密着し、Ｔ字状の物体１０はその状態から下へ行くことが出来なくなり、そのシーソー運動を行う板９の後部がその状態からさらに下がるとＴ字状の物体１０はぶら下がりの状態となり、それ以上下へ行くことが出来ないＴ字状の物体１０とシーソー運動を行う板９との間に隙間が出来はじめ、そのシーソー運動を行う板９の後部がさらに下がるとその隙間は大きくなり、そのシーソー運動を行う板９の上面に郵便物等が載っている場合は、その郵便物等は、シーソー運動を行う板９から下へ落ちるシステムを持つことを特微とする請求項５記載の郵便受け箱。
【請求項７】
郵便受け本体を横から見た場合、Ｔの字に見えるＴ字状の物体１０の上の横一文字の左右、即ち前後の面には隙間無く磁石が取り付けられており、そして、そのＴ字状の物体１０の下の縦の部分の後ろ斜め下を向いた面にも隙間無く磁石が取り付けられており、それらの三面と対面する二つのぶ厚い物体７０、７９の面には、それらの磁石と反発する磁石が取り付けられており、そして、Ｔ字状の物体１０の下の縦の部分の斜め上を向いた面８４と対面するぶ厚い物体の面には十数個の同じ頂上の高さの回転可能なローラ状の物体４７が取り付けられていることで、Ｔ字状の物体１０が斜め上下運動を行っても、対面する面どうしに取り付けられた磁石どうしの反発力を利用して普段の状態のように出来るだけＴ字状の物体１０と二つのぶ厚い物体７０、７９の対面する面どうしを平行の状態にして互いの面が密着する状態になることを防ぐとともに、また、Ｔ字状の物体７０の下の縦の前の部分８４が、対面するぶ厚い物体７０の面に当たりそうになっても、そのぶ厚い物体７０の面から出ているローラ状の物体４７に当たるため、斜め上下運動を行っているＴ字状の物体１０がそのローラ状の物体４７に接触した場合、そのローラ状の物体４７は自身に当たっているＴ字状の物体１０の斜め上下運動とともに回転する仕組みになっていることで、磁石の反発力とローラ状の物体４７の回転を活用して、Ｔ字状の物体１０が行う斜め上下運動をスムースに行うことが出来るシステムを内部に持つことを特微とする郵便受け箱。
【請求項８】
郵便受け本体を横から見た場合、前記のＴの字の形をしているＴ字状の物体１０を前後に挟む二つのぶ厚い物体７０、７９でつくられた空間のま横の左右の内壁１４には、その空間の下先端を除けば、その空間の前後の面の両端付近を自身の前後の面とする凹部９９、１００が在り、その内壁に存在する凹部９９、１００の下には、その凹部９９、１００を前後に均等に分けることが出来る凹部の中心線、即ち、Ｔ字状の物体１０が行う斜め上下運動の中心線を中心にして、その凹部９９、１００と続く別の凹部１０１がその内壁１４に存在し、その下になる凹部１０１の奥の面と内壁に入る前記のその上の凹部９９、１００の奥の面は段差なく一つの平面となって続いており、前記のその下の凹部１０１の上先端は、前記のぶ厚い物体７０の面に取り付けられたローラ状の物体群９８の下先端のローラ４７の下先端の部分と前記ぶ厚い物体７０の下先端の間に在り、その前後の幅は、Ｔ字状の物体１０の下の縦の部分が斜め上下運動を行う必要最少限のスペースを保っており、その上の凹部１００の前後の幅よりも狭くなっており、その下の凹部１０１の一つ目の重要な役割は、前記二つのぶ厚い物体７０、７９の下先端から下へはみ出した前記Ｔ字状の物体１０の下の縦一文字の部分の左右の端を自身の中へ入れて、投入口から入れられたファイバースコープ等で中を見られた場合、Ｔ字状の物体１０と郵便受け本体の内壁１４との隙間が全くないように見せることであり、そして、もう一つの重要な役割は、その凹部１０１の下先端の斜め上を向いた面は、投入口が無くなった時に来るＴ字状の物体１０の最下部のローラ８７の下先端の部分を上に乗せることが出来る高さと角度につくられていることで、前記二つのぶ厚い物体７０、７９でつくられた大きな空間と小さな空間の境目の平面と同じく投入口が無くなった時点から、それ以上Ｔ字状の物体１０を下へ下げないようにすることであり、それら二つの重要な役割を持つ内壁に存在する凹部を有することを特微とする請求項７記載の郵便受け箱。
【請求項９】
前記Ｔ字状の物体１０の下先端は回転が可能なローラ状の物体８７であることを特微とする請求項８記載の郵便受け箱。
【請求項１０】
郵便受け本体内側前部下の位置の左右の内壁１４に、その内壁１４の内側表面と直角に表面側に入り込む表面側の奥先端が詰まった状態の円筒状の空間３１の中に、 シーソー運動を行う板９が行うシーソー運動に支障をきたさない位置に存在する板状の物体５の前先端部中央を横断貫通する両面の詰まった円筒状の物体１５の左右の両面の中心から、その表面の何処から測っても直角に出ている硬い素材でつくられた棒状の物体３２が入り、その棒状の物体３２が入り込んでいる位置と高さは、郵便受け底１３よりもやや上の高さに在り、その棒状の物体３２も含む円筒状の物体１５が自身の前先端部中央を横断貫通している板状の物体５は、その板状の物体５に細工を行わなければ水平の状態ではなく、最後部下角が、郵便受け底に着く状態である。その後部が上下運動が出来る板状の物体５の下面全体に取り付けられた磁石と、その下面と対面する郵便受け底１８に取り付けられた磁石が互いに反発しあい、その反発力で前記板状の物体５は後部が空中に浮く状態となり、その後部が空中に浮く板状の物体５全体は、水平、または水平に近い状態を保っており、その後部が空中に浮く板状の物体５の上から落ちてきて、その後部が空中に浮く板状の物体５の上に貯まった郵便物等の合計の重量が、前記の反発力で前記の後部が空中に浮く板状の物体５を水平に保つことが出来る限界を越え、その後部が空中に浮く板状の物体５の後部が下がって、その後部が空中に浮く板状の物体５の最後部下面の後ろ角が下の床１３に着く状態になると、その後部が空中に浮く板状の物体５の最後部付近上面に取り付けられているヨート１６に先端の輪が取り付けられているその後部が空中に浮く板状の物体５の後ろに位置する横から見るときのこ状の物体の頂上の台２０の上から斜め前下の前記のヨート１６に向って伸びている糸状の物質２１も当然下へ引っ張られることになり、その糸状の物質２１のもう一方の先端の前記きのこ状の物体１９の頂上の台２０の上から外側へぶら下がる形で取り付けられている物体２２はそれ以上上がることは出来ない状態まで上がることとなり、その物体２２の上がっている状態をその物体の後ろに位置する透明の板状の物体２６を通して外から見ることが出来るシステムを持つことを特微とする請求項９記載の郵便受け箱。
【請求項１１】
前記の後部が空中に浮く板状の物体５の最後部上面に取り付けられているヨート１６は一つではなく数個横一列に規則正しく等間隔に並べられて取り付けられており、前記の糸状の物質２１は取り付けるヨート１６を自由に替えることが出来、また、糸状の物質には前記の糸状の物質２１とは別に二種類のダミーの糸状の物質１５５があり、その内の一つは、前記後部が空中に浮く板状の物体５の最後部上面のヨート１６に取り付けられるダミーでない本来の糸状の物質２１よりも糸状の部分が短いと云うことを除けば全く同じ形状であり、そのダミーの糸状の物質を前記の後部が空中に浮く板状の物体５の最後部上面に横一列に並んでいるそれぞれのヨート１６のま後ろの線のきのこ状の物体１９の頂上の台２０の前部下面に取り付けられている硬い素材でつくられた下を向いた輪２１の内の一つに、そのダミーの糸状の物質の先端の輪の部分をきのこ状の物体１９の頂上の台の上からまわして取り付けると、その糸状の物質のもう一方の先端の物体２２は、前記の後部が空中に浮く板状の物体５の最後部下角が下がって床１３に着き、その後部が空中に浮く板状の物体５のヨート１６に取り付けられている糸状の物質２１の外側先端の物体２２が来る高さと同じ高さに来るように長さが調整されており、そして、もう一つのダミーの糸状の物質は、前記のダミーの糸状の物質よりも全体は長く、他の糸状の物質と同じように外側先端には、他の糸状の物質と同じ物体２２が取り付けられており、そのダミーの糸状の物質の物体が取り付けられていないもう片方の先端の輪の部分を前記と同じ方法できのこ状の物体１９の頂上の台２０の前部下面に取り付けられている下を向いた輪２４の内の一つにはめ込むように取り付けると、そのダミーの糸状の物質の外側先端の物体２２の下先端は、きのこ状の物体１９の外側下の床１１６にもう少しで着くと云う位置にくるように長さが調整されており、前記後部が空中に浮く板状の物体５の後部が下がり、その板状の物体５の下角が床１３に着いたとしても常に前記長い方のダミーの糸状の物質の外側先端の物体２２の高さは変わらず、外から見る者には透明の板状の物体を２６を通してそのダミーの糸状の物質の糸状の部分だけが見えるようになっており、そして、本来の糸状の物質２１を前記の後部が空中に浮く板状の物体５のヨート１６に取り付ける場合は、ダミーの糸状の物質１５５は、その本来の糸状の物質２１が取り付けられているヨート１６のま後ろのきのこ状の物体１９の頂上の台２０の前部下面の輪２４に取り付けてはならず、一つの例として、本来の糸状の物質２１の一つを前記の後部が空中に浮く板状の物体５の最後部上面に取り付けられている全てのヨート１６の内の一つのヨート１６に取り付け、その他のそれぞれのヨート１６のま後ろの位置に在る前記きのこ状の物体１９の頂上の台２０の前部下面の全ての輪に一つづつ二種類のダミーの糸状の物質１５５のいづれかを種類が片寄らないように取り付けた場合、本来の糸状の物質２１を取り付けている前記の後部が空中に浮く板状の物体５のヨート１６の位置を知る者だけが、大まかではあるが、郵便受け内の前記の後部が空中に浮く板状の物体５の上に乗る郵便物等の重量を郵便受けを開けてその内側を見なくても、外から前記透明の板状の物体２６を通して前記本来の糸状の物質２１の見える部分を確認することである程度知ることが出来るシステムを持つことを特微とする請求項１０記載の郵便受け箱。
【請求項１２】
前記後部が空中に浮く板状の物体５の最後部上面に横一列に並んだヨート１６の投入口側には、その後部が空中に浮く板状の物体５の上面と垂直にその後部が空中に浮く板状の物体５の左右の端とわずかな隙間を空けて厚さ２ミリ程の横長長方形の板状の物体１７が、前記の数個のヨート１６が横に並ぶ線と平行に直立する形で取り付けられており、その厚さ２ミリ等の板状の物体１７に、均一、または数段階の重量に分かれた、長い辺の長さが前記の後部が空中に浮く板状の物体５の横の長さよりも短く、前記厚さ２ミリ等の板状の物体１７の長い方の辺よりも長い中央に細長い孔を有する板状の物体１８を、その板状の物体１８が有する孔の中を前記厚さ２ミリ等の板状の物体１７に下から上へ貫通させる形で厚さ２ミリ等の板状の物体１７のま上から前記中央に細長い孔を有する板状の物体１８をま下に下ろす方法で前記後部が空中に浮く板状の物体５の上面に、前記中央に細長い孔を有する板状の物体１８を一枚以上乗せることにより、その後部が空中に浮く板状の物体５の後部の重量を増やし、その後部が空中に浮く板状の物体５の後部が下がりはじめるその後部が空中に浮く板状の物体５の上に乗る郵便物等の重量を、その後部が空中に浮く板状の物体５の後部上面に何も乗せていない状態よりも軽めに調整出来るシステムを持つことを特微とする請求項１１記載の郵便受け箱。
【請求項１３】
前記の縦幅の長さの調整が簡単に出来る投入口からファイバースコープ等を進入させて中の郵便物を見ようとしても見ることは出来ず、投入口から、先端に接着剤等を塗り付けた曲がった針金等を進入させて内部に在る郵便物等の窃盗を試みても不可能であるが、投函物を下に落とす郵便受けとしての機能を持ち、そして、郵便物等の集積状況を大まかではあるが扉を開けることなく、また、覗き窓を設けなくても関係者だけが外から見て分る方法を用いている郵便受けを素人でも組み立てや解体が簡単に出来る構造になっていることを特微とする請求項１２記載の郵便受け箱。